(57)【要約】  監視領域における異常を通報する表示灯付発信機１００であって、発光部と、表示灯付発信機１００の表側から発光部を覆う表カバー１であって、発光部が発光した光を表示灯付発信機１００の表側における表示灯付発信機１００の外部に透過する領域である透過領域１３と、発光部が発光した光を表示灯付発信機１００の表側における表示灯付発信機１００の外部に透過しない領域である非透過領域１４とを備えている表カバー１と、を備え、表カバー１の透過領域１３と非透過領域１４とが、相互に一体的に構成されており、透過領域１３は透過層が設けられている領域のうち非透過層と透過層とが相互に重畳されていない領域であり、非透過領域１４は非透過層と透過層とが相互に重畳されている領域を含む領域である。
2018198642.tif 000002
【特許請求の範囲】
【請求項１】
監視領域における異常を通報する表示灯付発信機であって、
発光手段と、
表カバーと、
を備える表示灯付発信機。
【請求項２】
前記表カバーは、前記表示灯付発信機の表側から前記発光手段を覆い、
前記表カバーは、前記発光手段が発光した光を前記表示灯付発信機の表側における前記表示灯付発信機の外部に透過する領域である透過領域と、前記発光手段が発光した光を前記表示灯付発信機の表側における前記表示灯付発信機の外部に透過しない領域である非透過領域とを備えており、
前記表カバーの前記透過領域と前記非透過領域とが、相互に一体的に構成されている、
請求項１に記載の表示灯付発信機。
【請求項３】
前記表カバーは、
光を透過しない材料である非透過材料によって成形された非透過層と、
光を透過する材料である透過材料によって成形された透過層であって、前記非透過層に対して自己の一部のみが重畳されている前記透過層と、を備えており、
前記透過領域は、前記透過層が設けられている領域のうち、前記非透過層と前記透過層とが相互に重畳されていない領域であり、
前記非透過領域は、前記非透過層と前記透過層とが相互に重畳されている領域を含む領域である、
請求項２に記載の表示灯付発信機。
【請求項４】
前記表示灯付発信機の裏側から前記発光手段を覆う裏カバーと、
前記表カバーを前記裏カバーに係合する係合手段と、を備えている、
請求項２又は３に記載の表示灯付発信機。
【請求項５】
前記表示灯付発信機の裏側から前記発光手段を覆う裏カバーと、
前記表カバーを前記裏カバーに螺合により固定する螺合手段であって、前記表示灯付発信機の内部に設けられている前記螺合手段と、を備えており、
前記表カバーは、
前記表示灯付発信機の内部に通じる開口である連通開口と、
前記連通開口を開閉する開閉板と、
前記螺合手段が螺合する被螺合手段であって、前記表示灯付発信機の内部に設けられている前記被螺合手段と、を備えており、
前記螺合手段は、前記連通開口を介して前記被螺合手段に螺合するものであり、
前記螺合手段は、前記開閉板を開いた場合に前記連通開口を介して前記表示灯付発信機の外部に露出し、前記開閉板を閉じた場合に前記連通開口を介して前記表示灯付発信機の外部に露出しない、
請求項２から４のいずれか一項に記載の表示灯付発信機。
【請求項６】
前記表カバーは、
前記表示灯付発信機の正面側から前記発光手段を覆う正面部と、
前記表示灯付発信機の側面側から前記発光手段を覆う側面部と、を備えており、
前記表カバーは、
前記発光手段が発光した光を前記表示灯付発信機の正面側における前記表示灯付発信機の外部及び前記表示灯付発信機の側面側における前記表示灯付発信機の外部に透過する領域である透過領域と、
前記発光手段が発光した光を前記表示灯付発信機の正面側における前記表示灯付発信機の外部及び前記表示灯付発信機の側面側における前記表示灯付発信機の外部に透過しない領域である非透過領域と、を備えており、
前記透過領域は、前記正面部及び前記側面部に設けられている、
請求項１に記載の表示灯付発信機。
【請求項７】
前記非透過領域の少なくとも一部の領域である中心側非透過領域は、前記正面部に沿う方向における前記正面部の中心側に設けられており、
前記透過領域は、前記中心側非透過領域を取り囲んでいる前記正面部の外周側から前記側面部にわたって設けられている、
請求項６に記載の表示灯付発信機。
【請求項８】
前記表示灯付発信機は、正面側又は裏側から取付対象に対して取り付けられる、
請求項６又は７に記載の表示灯付発信機。
【請求項９】
前記表示灯付発信機は、前記取付対象の正面側から前記取付対象に取り付けられるものであり、
前記表示灯付発信機は、
前記表示灯付発信機の裏側から前記発光手段を覆う裏カバーと、
前記取付対象と前記裏カバーとの間に設けられる取付手段であって、前記裏カバーを前記取付対象に取り付ける前記取付手段と、を備える、
請求項８に記載の表示灯付発信機。
【請求項１０】
前記表示灯付発信機は、前記取付対象の正面側の領域である正面側領域と前記取付対象の裏側の領域である裏側領域とを区画する前記取付対象であって、前記表示灯付発信機の少なくとも一部を前記正面側領域に対して露出させるための露出穴を備える前記取付対象の裏側から前記取付対象に取り付けられるものであり、
前記表示灯付発信機は、前記裏側領域に設けられており、且つ、前記露出穴よりも大径であり、
前記表示灯付発信機は、少なくとも前記表カバーの一部が前記露出穴を介して前記正面側領域に対して露出するように、前記取付対象との間で前記表示灯付発信機の少なくとも一部を挟む取付手段であって、前記表カバーを前記取付対象に取り付ける前記取付手段、を備える、
請求項８に記載の表示灯付発信機。
【請求項１１】
自己の少なくとも一部が前記取付対象と前記表カバーとの間において前記露出穴の周囲に設けられる封止手段であって、前記取付対象と前記表カバーとの間を封止する前記封止手段、を備える、
請求項１０に記載の表示灯付発信機。
【請求項１２】
前記表示灯付発信機の検査用情報を表示する検査用情報表示手段であって、前記表示灯付発信機の内部に設けられている前記検査用情報表示手段、を備え、
前記表カバーは、
前記表示灯付発信機の内部に通じる開口である連通開口であって、前記連通開口を介して前記表示灯付発信機が操作される前記連通開口と、
前記連通開口を開閉する開閉板と、を備えており、
前記検査用情報表示手段は、前記開閉板を開いた場合に前記連通開口を介して前記表示灯付発信機の外部に露出し、前記開閉板を閉じた場合に前記連通開口を介して前記表示灯付発信機の外部に露出しない、
請求項６から１１のいずれか一項に記載の表示灯付発信機。
【請求項１３】
前記表示灯付発信機と外部機器との間の電気接続に関する情報である接続関連情報を表示する接続関連情報表示手段であって、前記表示灯付発信機の裏側において前記表示灯付発信機の外部に露出するように設けられている前記接続関連情報表示手段、を備えている、
請求項６から１２のいずれか一項に記載の表示灯付発信機。
【発明の詳細な説明】
【技術分野】
【０００１】
本発明は、表示灯付発信機に関する。【０００２】
本出願は、２０１７年４月２６日付け出願の日本特許出願である特願２０１７−０８７３７１号、及び２０１７年５月２５日付け出願の日本特許出願である特願２０１７−１０３７５１号の利益を主張するものであり、全体の参照により本明細書に組み込まれる。
【背景技術】
【０００３】
従来、建物等には、火災を通報する発信機の位置を表示すために発光する表示灯装置が設けられていた（特許文献１）。
【先行技術文献】
【特許文献】
【０００４】
【特許文献１】特開平９−２６５５９４号公報
【発明の概要】
【発明が解決しようとする課題】
【０００５】
ところが、この表示灯装置においては、発信機とは別体として構成されており、あらゆる方向に対して発信機の位置を表示するために、発信機の隣にて設置面から比較的大きく突出して設けられていたので、例えば、建物内で表示灯装置が邪魔になってしまうことがあった。【０００６】
そこで、従来の発信機に対して後付け可能な後付け表示灯装置が提案されていたが、以下のような第１の課題又は第２の課題が考えられた。【０００７】
まず、第１の課題については、従来の後付け表示灯装置が、全体としてフラットに構成され、また、従来の発信機に対してねじ等を用いて後付け可能となるように構成され、また、当該発信機に後付けされた場合に、発信機の周囲に沿って表示灯が設けられるように構成されることが提案されていた。【０００８】
しかしながら、この後付け表示灯装置においては、例えば、発信機に対して後付け表示灯装置を後付けした場合に、当該発信機（つまり、発光しない部分）と後付け表示灯装置（発光する部分）との間の隙間から雨や塵埃等の汚損物が入り込んで汚れてしまう可能性があった。また、この後付け表示灯装置においては、例えば、発信機に対して後付け表示灯装置が後付けされているので、これら発信機及び後付け表示灯装置全体として統一感に欠け、煩雑な印象を与えてしまう可能性があった。【０００９】
従って、汚損物の侵入を防止し、全体の意匠性を向上させる観点において、改善の余地があった。【００１０】
また、第２の課題については、従来の後付け表示灯装置が、全体としてフラットに構成され、また、従来の発信機に対してねじ等を用いて後付け可能となるように構成されることが提案されていた。詳細には、後付け表示灯装置が、発信機を正面側に向かって露出させた状態で当該発信機の周囲を取り囲むように構成され、また、この取り囲んでいる部分（以下、取り囲み部分）に表示灯が設けられ、また、発信機に対して後付けされた場合に、当該表示灯が発信機の周囲に沿って設けられるように構成されることが提案されていた。【００１１】
しかしながら、この後付け表示灯装置は、例えば、自己の全体の形状をフラットにするために表示灯が取り囲み部分に埋め込まれており、正面側に向かってのみ表示灯の光を発光するように構成されていたので、発信機に対して後付け表示灯装置を後付けした場合に、発信機の側面側から表示灯の光を視認し難くなる可能性があった。【００１２】
従って、ユーザに対して発信機の位置を認識させる観点において、改善の余地があった。【００１３】
本発明は上記問題に鑑みてなされたもので、汚損物の侵入を防止し、全体の意匠性を向上させることが可能な表示灯付発信機を提供すること、あるいは、ユーザに対して自己の位置を確実に認識させることが可能な表示灯付発信機を提供することを目的とする。
【課題を解決するための手段】
【００１４】
上述した課題を解決し、目的を達成するために、請求項１に記載の表示灯付発信機は、監視領域における異常を通報する表示灯付発信機であって、発光手段と、表カバーと、を備える。【００１５】
また、請求項２に記載の表示灯付発信機は、請求項１に記載の表示灯付発信機において、前記表カバーは、前記表示灯付発信機の表側から前記発光手段を覆い、前記表カバーは、前記発光手段が発光した光を前記表示灯付発信機の表側における前記表示灯付発信機の外部に透過する領域である透過領域と、前記発光手段が発光した光を前記表示灯付発信機の表側における前記表示灯付発信機の外部に透過しない領域である非透過領域とを備えており、前記表カバーの前記透過領域と前記非透過領域とが、相互に一体的に構成されている。【００１６】
また、請求項３に記載の表示灯付発信機は、請求項２に記載の表示灯付発信機において、前記表カバーは、光を透過しない材料である非透過材料によって成形された非透過層と、光を透過する材料である透過材料によって成形された透過層であって、前記非透過層に対して自己の一部のみが重畳されている前記透過層と、を備えており、前記透過領域は、前記透過層が設けられている領域のうち、前記非透過層と前記透過層とが相互に重畳されていない領域であり、前記非透過領域は、前記非透過層と前記透過層とが相互に重畳されている領域を含む領域である。【００１７】
また、請求項４に記載の表示灯付発信機は、請求項２又は３に記載の表示灯付発信機において、前記表示灯付発信機の裏側から前記発光手段を覆う裏カバーと、前記表カバーを前記裏カバーに係合する係合手段と、を備えている。【００１８】
また、請求項５に記載の表示灯付発信機は、請求項２から４のいずれか一項に記載の表示灯付発信機において、前記表示灯付発信機の裏側から前記発光手段を覆う裏カバーと、前記表カバーを前記裏カバーに螺合により固定する螺合手段であって、前記表示灯付発信機の内部に設けられている前記螺合手段と、を備えており、前記表カバーは、前記表示灯付発信機の内部に通じる開口である連通開口と、前記連通開口を開閉する開閉板と、前記螺合手段が螺合する被螺合手段であって、前記表示灯付発信機の内部に設けられている前記被螺合手段と、を備えており、前記螺合手段は、前記連通開口を介して前記被螺合手段に螺合するものであり、前記螺合手段は、前記開閉板を開いた場合に前記連通開口を介して前記表示灯付発信機の外部に露出し、前記開閉板を閉じた場合に前記連通開口を介して前記表示灯付発信機の外部に露出しない。【００１９】
また、請求項６に記載の表示灯付発信機は、請求項１に記載の表示灯付発信機において、前記表カバーは、前記表示灯付発信機の正面側から前記発光手段を覆う正面部と、前記表示灯付発信機の側面側から前記発光手段を覆う側面部と、を備えており、前記表カバーは、前記発光手段が発光した光を前記表示灯付発信機の正面側における前記表示灯付発信機の外部及び前記表示灯付発信機の側面側における前記表示灯付発信機の外部に透過する領域である透過領域と、前記発光手段が発光した光を前記表示灯付発信機の正面側における前記表示灯付発信機の外部及び前記表示灯付発信機の側面側における前記表示灯付発信機の外部に透過しない領域である非透過領域と、を備えており、前記透過領域は、前記正面部及び前記側面部に設けられている。【００２０】
また、請求項７に記載の表示灯付発信機は、請求項６に記載の表示灯付発信機において、前記非透過領域の少なくとも一部の領域である中心側非透過領域は、前記正面部に沿う方向における前記正面部の中心側に設けられており、前記透過領域は、前記中心側非透過領域を取り囲んでいる前記正面部の外周側から前記側面部にわたって設けられている。【００２１】
また、請求項８に記載の表示灯付発信機は、請求項６又は７に記載の表示灯付発信機において、前記表示灯付発信機は、正面側又は裏側から取付対象に対して取り付けられる。【００２２】
また、請求項９に記載の表示灯付発信機は、請求項８に記載の表示灯付発信機において、前記表示灯付発信機は、前記取付対象の正面側から前記取付対象に取り付けられるものであり、前記表示灯付発信機は、前記表示灯付発信機の裏側から前記発光手段を覆う裏カバーと、前記取付対象と前記裏カバーとの間に設けられる取付手段であって、前記裏カバーを前記取付対象に取り付ける前記取付手段と、を備える。【００２３】
また、請求項１０に記載の表示灯付発信機は、請求項８に記載の表示灯付発信機において、前記表示灯付発信機は、前記取付対象の正面側の領域である正面側領域と前記取付対象の裏側の領域である裏側領域とを区画する前記取付対象であって、前記表示灯付発信機の少なくとも一部を前記正面側領域に対して露出させるための露出穴を備える前記取付対象の裏側から前記取付対象に取り付けられるものであり、前記表示灯付発信機は、前記裏側領域に設けられており、且つ、前記露出穴よりも大径であり、前記表示灯付発信機は、少なくとも前記表カバーの一部が前記露出穴を介して前記正面側領域に対して露出するように、前記取付対象との間で前記表示灯付発信機の少なくとも一部を挟む取付手段であって、前記表カバーを前記取付対象に取り付ける前記取付手段、を備える。【００２４】
また、請求項１１に記載の表示灯付発信機は、請求項１０に記載の表示灯付発信機において、自己の少なくとも一部が前記取付対象と前記表カバーとの間において前記露出穴の周囲に設けられる封止手段であって、前記取付対象と前記表カバーとの間を封止する前記封止手段、を備える。【００２５】
また、請求項１２に記載の表示灯付発信機は、請求項６から１１のいずれか一項に記載の表示灯付発信機において、前記表示灯付発信機の検査用情報を表示する検査用情報表示手段であって、前記表示灯付発信機の内部に設けられている前記検査用情報表示手段、を備え、前記表カバーは、前記表示灯付発信機の内部に通じる開口である連通開口であって、前記連通開口を介して前記表示灯付発信機が操作される前記連通開口と、前記連通開口を開閉する開閉板と、を備えており、前記検査用情報表示手段は、前記開閉板を開いた場合に前記連通開口を介して前記表示灯付発信機の外部に露出し、前記開閉板を閉じた場合に前記連通開口を介して前記表示灯付発信機の外部に露出しない。【００２６】
また、請求項１３に記載の表示灯付発信機は、請求項６から１２のいずれか一項に記載の表示灯付発信機において、前記表示灯付発信機と外部機器との間の電気接続に関する情報である接続関連情報を表示する接続関連情報表示手段であって、前記表示灯付発信機の裏側において前記表示灯付発信機の外部に露出するように設けられている前記接続関連情報表示手段、を備えている。
【発明の効果】
【００２７】
請求項１に記載の表示灯付発信機によれば、発光手段と表カバーとを備えることにより、例えば、表示灯付発信機の意匠性を向上させることができ、あるいは、ユーザに対して表示灯付発信機の位置を確実に認識させることできる。【００２８】
請求項２に記載の表示灯付発信機によれば、表カバーの透過領域と非透過領域とが相互に一体的に構成されていることにより、例えば、透過領域と非透過領域との間に隙間が設けられていないので、雨や塵埃等の汚損物が表示灯付発信機に入り込むのを防止することができる。また、例えば、表カバー全体について一体的で統一感のある印象を与えることができるので、表示灯付発信機の意匠性を向上させることができる。【００２９】
請求項３に記載の表示灯付発信機によれば、透過領域が、透過層が設けられている領域のうち、非透過層と透過層とが相互に重畳されていない領域であり、非透過領域が、非透過層と透過層とが相互に重畳されている領域を含む領域であることにより、例えば、透過層及び非透過層を用いて、透過領域及び非透過領域の機能を確実に確保することができるので、表示灯付発信機において光にて透過領域の形状を際立たせることができ、表示灯付発信機の位置を確実に表示することができる。また、例えば、透過領域及び非透過領域の両方の領域に透過層を設けることができるので、当該透過層にて表示灯付発信機をコーティングすることができ、表示灯付発信機の高級感を演出することができる。【００３０】
請求項４に記載の表示灯付発信機によれば、表カバーを裏カバーに係合する係合手段を備えることにより、例えば、表カバー及び裏カバーを相互に仮止めすることができるので、組み合立てが容易な表示灯付発信機を提供することができる。【００３１】
請求項５に記載の表示灯付発信機によれば、表カバーを裏カバーに螺合により固定する螺合手段が、開閉板を開いた場合に連通開口を介して表示灯付発信機の外部に露出し、開閉板を閉じた場合に連通開口を介して表示灯付発信機の外部に露出しないことにより、例えば、開閉板を開いて螺合手段を操作したり、開閉板を閉じて螺合手段を隠したりすることができるので、表示灯付発信機の意匠性を維持したまま組み立てを一層容易にすることができる。また、例えば、前述の係合手段に加えて螺合手段を設けた場合、係合手段にて表カバーと裏カバーとの相互間の回転を係止した上で、螺合手段にて表カバーと裏カバーとを相互に固定することができるので、表示灯付発信機の組み立てを容易に行うことが可能となる。【００３２】
請求項６に記載の表示灯付発信機によれば、透過領域が正面部及び側面部に設けられていることにより、例えば、発光手段の光を正面部側及び側面部側の両方に発光することができるので、表示灯付発信機の正面側及び側面側のユーザに対して当該光を視認させることができ、ユーザに対して表示灯付発信機の位置を確実に認識させることできる。【００３３】
請求項７に記載の表示灯付発信機によれば、透過領域が中心側非透過領域を取り囲んでいる正面部の外周側から側面部にわたって設けられていることにより、例えば、正面部から側面部にわたって連続的に発光させることができるので、表示灯付発信機の正面側のユーザ及び側面側のユーザに加えて正面側及び側面側の間である斜め側のユーザに対しても光を視認させることができ、ユーザに対して表示灯付発信機の位置を一層確実に認識させることできる。【００３４】
請求項８に記載の表示灯付発信機によれば、表示灯付発信機が、正面側又は裏側から取付対象に対して取り付けられることにより、例えば、表示灯付発信機を取付対象に対して突出させるように正面側から取り付けたり、あるいは、表示灯付発信機を取付対象に対してフラットになるように裏側から取り付けたりすることができるために、表示灯付発信機を取り付け環境に適応させることができ、表示灯付発信機の視認性を向上させたり表示灯付発信機が邪魔になることを防止したりすることできる。【００３５】
請求項９に記載の表示灯付発信機によれば、取付対象と裏カバーとの間に設けられる取付手段であって、裏カバーを取付対象に取り付ける取付手段とを備えることにより、例えば、取付対象に対して正面側から表示灯付発信機を取り付けることができるので、取付対象の裏側での作業が不要となり表示灯付発信機の施工性を向上させることができる。また、例えば、取付対象に対する表示灯付発信機の突出量を増大させることができるので、表示灯付発信機の視認性を向上させることができる。【００３６】
請求項１０に記載の表示灯付発信機によれば、表示灯付発信機は、裏側領域に設けられており、且つ、露出穴よりも大径であり、また、表示灯付発信機は、少なくとも表カバーの一部が露出穴を介して正面側領域に対して露出するように取り付けられていることにより、例えば、正面側領域において取付対象がフラットになるように表示灯付発信機を取り付けることができるので、表示灯付発信機が邪魔になることを防止することでる。また、例えば、表示灯付発信機が露出穴よりも大径であるので、表示灯付発信機にて露出穴を封止することができ、露出穴を介して裏側領域に雨や塵埃等の汚損物が入り込むことを防止することができる。【００３７】
請求項１１に記載の表示灯付発信機によれば、封止手段を備えることにより、例えば、露出穴を介して裏側領域に雨や塵埃等の汚損物が入り込むことを確実に防止することができる。【００３８】
請求項１２に記載の表示灯付発信機によれば、検査用情報を表示する検査用情報表示手段が、開閉板を開いた場合に表示灯付発信機の外部に露出し、開閉板を閉じた場合に表示灯付発信機の外部に露出しないことにより、例えば、必要な場合にのみ検査用情報表示手段を露出させることができるので、表示灯付発信機の外観をシンプルに保った状態で検査用情報を視認させることができ、意匠性を維持した状態で検査用情報を表示することができる。特に、従来提案されていた後付け表示灯装置を従来の発信機に後付けする技術においては、発信機から後付け表示灯装置を取り外さないと視認できない位置に検査用情報が設けられていたので、検査用情報を確認するためには後付け表示灯装置を取り外す必要があり手間となっていたが、しかしながら、本願の場合は、表示灯付発信機を取付対象から取り外したり分解したりせずに、検査用情報を容易に確認することができる。【００３９】
請求項１３に記載の表示灯付発信機によれば、接続関連情報を表示する接続関連情報表示手段であって、表示灯付発信機の裏側において露出するように設けられている接続関連情報表示手段を備えることにより、例えば、表示灯付発信機の正面側の外観をシンプルに保った状態で接続関連情報を視認させることができ、意匠性を維持した状態で接続関連情報を表示することができる。特に、従来提案されていた後付け表示灯装置を従来の発信機に後付けする技術においては、発信機の裏側に接続関連情が表示されていたものの発信機が取付対象に埋め込まれていたので、接続関連情を確認するためには後付け表示灯装置及び発信機を取り外す必要があり手間となっていたが、しかしながら、本願の場合は、表示灯付発信機が、裏側領域に設けられており、少なくとも表カバーの一部が露出穴を介して正面側領域に対して露出するように取り付けられている場合には、表示灯付発信機を取付対象から取り外したり分解したりせずに、裏側領域に回り込むことによって接続関連情報を容易に確認することができる。
【図面の簡単な説明】
【００４０】
【図１】本実施の形態１に係る表示灯付発信機の斜視図である。
【図２】表示灯付発信機の正面図である。
【図３】表示灯付発信機の側面図である。
【図４】図２のＡ―Ａ矢視断面図である。
【図５】正面側から見た表示灯付発信機の分解斜視図である。
【図６】裏側から見た表示灯付発信機の分解斜視図である。
【図７】図４の一部の拡大図である。
【図８】表示板を開いた状態の図２の一部の拡大図である。
【図９】実施の形態２に係る表示灯付発信機の斜視図である。
【図１０】表示灯付発信機の正面図である。
【図１１】表示灯付発信機の側面図である。
【図１２】表示灯付発信機の背面図である。
【図１３】図１０のＡ１―Ａ１矢視断面図である。
【図１４】正面側から見た表示灯付発信機の一部の分解斜視図である。
【図１５】裏側から見た表示灯付発信機の一部の分解斜視図である。
【図１６】表示板を開いた状態の図１０の一部の拡大図である。
【図１７】実施の形態３に係る板金に取り付けられた状態の表示灯付発信機の斜視図である。
【図１８】板金から取り外された状態表示灯付発信機の斜視図である。
【図１９】表示灯付発信機の正面図である。
【図２０】表示灯付発信機の側面図である。
【図２１】表示灯付発信機の背面図である。
【図２２】図１９のＢ１―Ｂ１矢視断面図である。
【図２３】図２２の一部の拡大図である。
【発明を実施するための形態】
【００４１】
以下に、本発明に係る表示灯付発信機の実施の形態を図面に基づいて詳細に説明する。なお、各実施の形態によりこの発明が限定されるものではない。
【００４２】
〔実施の形態１の基本的概念〕
まずは、実施の形態１の基本的概念について説明する。実施の形態１は、概略的に、表示灯付発信機に関するものである。ここで、「表示灯付発信機」とは、監視領域における異常を通報する通報手段であり、具体的には、少なくとも発光手段を備えているものであり、例えば、取付対象に取り付けられているものである。この「表示灯付発信機」は、例えば、監視領域における異常が発生した場合に、監視領域のユーザによって操作されることにより、当該異常を通報する装置である。
【００４３】
「監視領域」とは、監視の対象となっている領域であり、例えば、建物外の領域、建築物の部屋、階段、又は廊下等を含む概念である。「異常」とは、監視領域が通常とは異なる状態になることであり、例えば、監視領域における火災発生、又は有毒ガスのガス漏れ等を含む概念である。
【００４４】
「発光手段」とは、光を出力するものであり、例えば、電界発光の光源である有機ＥＬ、無機ＥＬ、又は発光ダイオード（ＬＥＤ）、放電発光の光源である蛍光灯、又は水銀ランプ、白熱発光する白熱電球、又はハロゲン球等を含む概念である。
【００４５】
「取付対象」とは、表示灯付発信機を取り付ける対象物であって、例えば、監視領域における壁、監視領域の板金等を含む概念である。「監視領域の板金」とは、監視領域に設けられている防災のための設備の板金であり、例えば、少なくとも消火栓の設備（例えば、ホース等）を収容する消火栓箱の板金、あるいは、少なくとも電鈴等を収容する機器収容箱の板金等を含む概念である。そして、この取付対象に対する表示灯付発信機の取り付けについては、例えば、表示灯付発信機を取付対象の正面側から取り付ける手法、又は、表示灯付発信機を取付対象の裏側から取り付ける手法があげられる。
【００４６】
以下の実施の形態１においては、「異常」が「監視領域における火災発生」であり、「発光手段」が「発光ダイオード」であり、「取付対象」が「消火栓箱の板金」である場合において、表示灯付発信機を取付対象の正面側から取り付ける場合について説明する。
【００４７】
〔実施の形態２、３の基本的概念〕
次に、実施の形態２、３の基本的概念について説明する。実施の形態１、２は、概略的に、表示灯付発信機に関するものである。ここで、「表示灯付発信機」とは、監視領域における異常を通報する通報手段であり、具体的には、少なくとも発光手段を備えているものであり、例えば、取付対象に取り付けられるものであって、取付対象の正面側又は裏側から取付対象に取り付けるものである。この「表示灯付発信機」は、例えば、監視領域における異常が発生した場合に、監視領域のユーザによって操作されることにより、当該異常を通報する装置である。
【００４８】
「監視領域」とは、監視の対象となっている領域であり、例えば、建物外の領域、建築物の部屋、階段、又は廊下等を含む概念である。「異常」とは、監視領域が通常とは異なる状態になることであり、例えば、監視領域における火災発生、又は有毒ガスのガス漏れ等を含む概念である。
【００４９】
「発光手段」とは、光を出力するものであり、例えば、電界発光の光源である有機ＥＬ、無機ＥＬ、又は発光ダイオード（ＬＥＤ）、放電発光の光源である蛍光灯、又は水銀ランプ、白熱発光する白熱電球、又はハロゲン球等を含む概念である。
【００５０】
「取付対象」とは、表示灯付発信機を取り付ける対象物であって、例えば、監視領域における壁、監視領域の板金等を含む概念である。「監視領域の板金」とは、監視領域に設けられている防災のための設備の板金であり、例えば、少なくとも消火栓の設備（例えば、ホース等）を収容する消火栓箱の板金、あるいは、少なくとも電鈴等を収容する機器収容箱の板金等を含む概念である。そして、この取付対象に対する表示灯付発信機の取り付けについては、例えば、表示灯付発信機を取付対象の正面側から取り付ける手法、又は、表示灯付発信機を取付対象の裏側から取り付ける手法があげられる。
【００５１】
以下の実施の形態２、３においては、「異常」が「監視領域における火災発生」であり、「発光手段」が「発光ダイオード」であり、「取付対象」が「消火栓箱の板金」である場合について説明する。特に、実施の形態２では、表示灯付発信機を取付対象の正面側から取り付ける場合について説明し、実施の形態３では、表示灯付発信機を取付対象の裏側から取り付ける場合について説明する。
【００５２】
（実施の形態１）
初めに、実施の形態１について説明する。この実施の形態においては、表示灯付発信機における表カバーの透過領域と非透過領域とが、相互に一体的に構成されている場合について説明する。
【００５３】
（構成）
まず、本実施の形態に係る表示灯付発信機の構成について説明する。図１は、本実施の形態に係る表示灯付発信機の斜視図であり、図２は、表示灯付発信機の正面図であり、図３は、表示灯付発信機の側面図であり、図４は、図２のＡ―Ａ矢視断面図であり、図５は、正面側から見た表示灯付発信機の分解斜視図であり、図６は、裏側から見た表示灯付発信機の分解斜視図である。なお、図２〜図４では、板金９１に取り付けられた状態を示している。また、以下の説明では、図２〜図４に示すＸ―Ｙ―Ｚ方向が互いに直交する方向であり、具体的には、Ｙ方向が鉛直方向であって、Ｘ方向及びＺ方向が鉛直方向に対して直交する水平方向であるものとして、例えば、Ｙ方向を上下方向と称して、＋Ｙ方向を上側と称し−Ｙ方向を下側と称し、Ｘ方向を左右方向と称して、＋Ｘ方向を右側と称し−Ｘ方向を左側と称し、Ｚ方向を厚み方向と称して、＋Ｚ方向を正面側と称し−Ｚ方向を裏側と称して説明する。また、ＸＹ平面に沿っている方向（つまり、＋Ｘ方向、−Ｘ方向、＋Ｙ方向、−Ｙ方向を含む方向）を側面側と称し、この側面側と正面側とを含む方向を表側と称して、これらの「Ｘ―Ｙ―Ｚ方向」に関する用語については、図示の表示灯付発信機１００において、各構成品の相対的な位置関係（又は、方向）等を説明するための便宜的な表現であることとして、以下説明する。以下では、表示灯付発信機１００の全体の構成を説明した後に、特に特徴的な構成の詳細について説明する。
【００５４】
これら各図に示す表示灯付発信機１００は、監視領域における異常を通報する通報手段であり、具体的には、監視領域における火災発生を通報する装置であり、図４に示すように、消火栓箱の板金９１に取り付けられるものであり、例えば、図５の表カバー１、ライトガイド２、発光部３、表示灯基板４１、保護板４２、押さえばね４３、スイッチ４４、部品板５、図４の発信機基板６１、及び基板カバー６２を備える。
【００５５】
（構成‐表カバー）
表カバー１は、表側から少なくとも発光部３を覆うカバー手段であり、例えば、後述する図５の透過領域１３及び非透過領域１４が相互に一体的に構成されているものであり、また、全体として円盤形状の外形となっているものである。なお、表カバー１の詳細については、後述する。
【００５６】
（構成‐ライトガイド）
ライトガイド２は、発光部３が発光した光を導光する導光手段であり、具体的には、表カバー１に沿って透過領域１３の全体にわたって設けられているものである。このライトガイド２の具体的な種類や構成は任意であるが、例えば、厚み方向（Ｚ方向）における表カバー１と表示灯基板４１との間に設けられているものであり、また、スイッチ４４を取り囲むように環状に形成されているものであり、また、導光性を有する任意の材料（例えば、透明の樹脂材料等）を用いて構成されている円環形状のものである。
【００５７】
（構成‐発光部）
発光部３は、光を発光する発光手段であり、具体的には、ライトガイド２に向かって発光するものである。この発光部３の具体的な種類や構成は任意であるが、例えば、表示灯付発信機１００における上側（＋Ｙ方向）寄り位置の及び下側（−Ｙ方向）寄りの位置に設けられているものであり、また、表示灯基板４１に実装されている発光ダイオードである。
【００５８】
（構成‐表示灯基板）
表示灯基板４１は、発光部３が実装される回路基板であり、具合的には、ライトガイド２を基準にして表カバー１の反対側に設けられているものである。この表示灯基板４１の具体的な種類や構成は任意であるが、例えば、スイッチ４４を避けつつ発光部３の位置を結ぶように構成されており、また、ライトガイド２の左側（−Ｘ方向）の一部のみと対向する円弧状に構成されているものである。
【００５９】
（構成‐保護板）
保護板４２は、表示灯付発信機１００を操作するための操作手段であり、具体的には、スイッチ４４を保護するためのものであり、また、異常発生時にユーザによって押下されるものである。この保護板４２の具体的な種類や構成は任意であるが、例えば、自己の一部が表カバー１の露出開口部１７を介して露出するように設けられているものである。
【００６０】
（構成‐押さえばね）
押さえばね４３は、表示灯付発信機１００を操作するための操作手段であり、具体的には、押下された状態の保護板４２を元の位置に戻すためにユーザによって操作されるものである。この押さえばね４３の具体的な種類や構成は任意であるが、例えば、スイッチ４４の周囲に設けられるように折り曲げられたものである。
【００６１】
（構成‐スイッチ）
スイッチ４４は、表示灯付発信機１００を操作するための操作手段であり、具体的には、表カバー１の正面部１１に沿う方向における表示灯付発信機１００の中心側に設けられているものであり、また、異常発生時にユーザによって保護板４２を介して押下されるものである。このスイッチ４４の具体的な種類や構成は任意であるが、例えば、押しボタンスイッチとして構成することができる。
【００６２】
（構成‐部品板）
部品板５は、裏側（−Ｚ方向）から少なくとも発光部３を覆うカバー手段であり、例えば、全体としては円形の裏カバーであり、また、樹脂製のものである。なお、部品板５の詳細については、後述する。
【００６３】
（構成‐発信機基板）
図４の発信機基板６１は、表示灯付発信機１００を動作させるための電気回路が実装されている発信機回路基板である。この発信機基板６１の具体的な種類や構成は任意であるが、例えば、全体としては矩形形状となっているものであって、任意の手法（例えば、ねじでの螺合等）を用いて部品板５の裏側に固定されるものである。
【００６４】
（構成‐基板カバー）
基板カバー６２は、裏側（−Ｚ方向）から発信機基板６１を覆うカバー手段である。この基板カバー６２の具体的な構成や種類は任意であるが、例えば、全体としては矩形形状となっているものであり、また、部品板５に対して係合して取り付けられるものである。
【００６５】
（構成‐詳細）
次に、表カバー１、及び部品板５の詳細について説明する。
【００６６】
（構成‐詳細‐表カバー）
図７は、図４の一部の拡大図であり、図８は、表示板を開いた状態の図２の一部の拡大図である。図２及び図３の表カバー１は、正面部１１、側面部１２、透過領域１３、非透過領域１４、図７の非透過層Ｌ１１、透過層Ｌ１２、図５の開閉開口部１５、表示板１６、露出開口部１７、図６の表カバー側係合部１８、及び表カバー側固定部１９を備える。
【００６７】
（構成‐表カバー‐正面部）
図２及び図３の正面部１１は、表示灯付発信機１００の正面側（＋Ｚ方向）から発光部３を覆うものであり、また、表カバー１の外形の一部を構成するものであり、例えば、ＸＹ平面に沿っている円形のものであって、外側の縁が僅かに湾曲して側面部１２に続いているものであり、また、側面部１２と一体的に構成されているものである。
【００６８】
（構成‐詳細‐表カバー‐側面部）
図２及び図３の側面部１２は、表示灯付発信機１００の側面側から発光部３を覆うものであり、また、表カバー１の外形の他の一部を構成するものであり、例えば、正面部１１の外側の縁から一部湾曲して裏側（−Ｚ方向）に向かって伸びているものであって、正面部１１から続いているものであり、また、正面部１１と一体的に構成されているものである。
【００６９】
（構成‐詳細‐表カバー‐透過領域）
図２及び図３の透過領域１３は、発光部３が発光した光を表示灯付発信機１００の表側における表示灯付発信機１００の外部に透過する領域であり、特に、ライトガイド２が導光した光を表示灯付発信機１００の少なくとも正面側（＋Ｚ方向）における表示灯付発信機１００の外部に透過する領域であり、例えば、正面側（＋Ｚ方向）に加えて側面側における表示灯付発信機１００の外部に光を透過する領域であり、詳細には、後述の透過層Ｌ１２が設けられている領域のうち、後述の非透過層Ｌ１１と透過層Ｌ１２とが相互に重畳されていない領域（つまり、非透過層Ｌ１１及び透過層Ｌ１２のうちの透過層Ｌ１２のみの領域）である。また、透過領域１３は、例えば、正面部１１及び側面部１２に設けられている領域であり、一例としては、図２の中心側非透過領域１４１を取り囲んでいる正面部１１の外周側から図３の側面部１２にわたって設けられている領域である。また、透過領域１３は、例えば、発光部３からの光を任意の色（例えば、赤色）で透過領域１３全体に拡散するように全体が赤色の半透明となっている領域であり、また、正面側（＋Ｚ方向）から見た場合に、中心側非透過領域１４１を取り囲むように全体として弧状に設けられている２個の領域であり、一例としては、図２の左側透過領域１３１、及び右側透過領域１３２を含む領域である。ここで、「弧状」とは、全体としては一部の不連続部分（例えば、透過領域１３が存在していない部分）を介して環状になっている形状であり、つまり、いわゆる環状とは異なる形状であり、例えば、多角形の外周の一部に対応する形状、あるいは、円形又は楕円形の外周の一部の形状に対応する円弧等を含む概念である。
【００７０】
左側透過領域１３１及び右側透過領域１３２は、円弧状のものであり、また、正面側（＋Ｚ方向）から見た場合に、上側非透過領域１４２及び下側非透過領域１４３を隔てて正面部１１の外周側に設けられている領域であり、また、当該外周側から図３の側面部１２の側面側非透過領域１４４側にわたって設けられている領域である。
【００７１】
（構成‐詳細‐表カバー‐非透過領域）
図２及び図３の非透過領域１４は、発光部３が発光した光を表示灯付発信機１００の表側における表示灯付発信機１００の外部に透過しない領域であり、具体的には、後述の非透過層Ｌ１１が設けられている領域を含む領域であって、特に、非透過層Ｌ１１と透過層Ｌ１２とが相互に重畳されている領域である。また、非透過領域１４は、例えば、正面部１１及び側面部１２に設けられている領域であり、また、外面が赤色となっている領域であり、一例としては、中心側非透過領域１４１、上側非透過領域１４２、下側非透過領域１４３、及び側面側非透過領域１４４を含む領域である。
【００７２】
中心側非透過領域１４１は、正面部１１に設けられている領域であり、具体的には、正面部１１に沿う方向（ＸＹ平面に沿う方向）における正面部１１の中心側に設けられている領域である。また、上側非透過領域１４２は、中心側非透過領域１４１から連続して設けられている領域であり、具体的には、中心側非透過領域１４１の上側（＋Ｙ方向）において正面部１１から側面部１２にわたって設けられている領域である。また、下側非透過領域１４３は、中心側非透過領域１４１から連続して設けられている領域であり、具体的には、中心側非透過領域１４１の下側（−Ｙ方向）において正面部１１から側面部１２にわたって設けられている領域である。また、側面側非透過領域１４４は、上側非透過領域１４２及び下側非透過領域１４３から連続して設けられている領域であり、具体的には、図３に示すように側面部１２の全周にわたって設けられている領域である。
【００７３】
（構成‐詳細‐表カバー‐非透過層）
図７の非透過層Ｌ１１は、表カバー１の外形を形成する層であり、具体的には、非透過領域１４を構成する層であり、また、光を透過しない材料である非透過材料によって成形された層である。また、非透過層Ｌ１１は、例えば、透過層Ｌ１２よりも面積が狭い層であり、また、非透光性の樹脂材料を、任意の成形手法（例えば、いわゆる二色成形）にて非透過領域１４に対応する外形形状に成形した層である。
【００７４】
（構成‐詳細‐表カバー‐透過層）
図７の透過層Ｌ１２は、表カバー１の外形を形成する層であり、具体的には、透過領域１３及び非透過領域１４を構成する層であり、また、光を透過する材料である透過材料によって成形された層であって、非透過層Ｌ１１に対して自己の一部のみが重畳されている層である。また、透過層Ｌ１２は、例えば、非透過層Ｌ１１の全体に対して表側から重畳されている層であり、また、非透過層Ｌ１１よりも面積が広い層であり、また、透光性の樹脂材料を、任意の成形手法（例えば、いわゆる二色成形）にて透過領域１３及び非透過領域１４に対応する外形形状（つまり、表カバー１全体の外形形状）に成形した層である。
【００７５】
（構成‐詳細‐表カバー‐開閉開口部）
図５の開閉開口部１５は、表示灯付発信機１００の内部に通じる開口である連通開口であり、具体的には、当該開閉開口部１５を介して表示灯付発信機１００が操作されるものであり、例えば、正面部１１に設けられているものであり、また、矩形のものである。
【００７６】
（構成‐詳細‐表カバー‐表示板）
図５の表示板１６は、開閉開口部１５を開閉する開閉板であり、例えば、正面部１１に設けられているものであり、また、矩形のものである。
【００７７】
（構成‐詳細‐表カバー‐露出開口部）
図５の露出開口部１７は、ユーザが保護板４２を押圧できるように保護板４２を露出させる露出開口であり、例えば、正面部１１に設けられているものであり、一例としては、円形のものである。
【００７８】
（構成‐詳細‐表カバー‐表カバー側係合部）
図６の表カバー側係合部１８は、表カバー１を部品板５に係合して固定する係合手段であり、例えば、部品板５の後述する部品板側表カバー用係合部５１と係合するものであり、また、表カバー１及び部品板５の相互間の回転を係止するものであり、また、側面部１２の裏側（−Ｚ方向）の縁における上側（＋Ｙ方向）及び下側（−Ｙ方向）に合計２個設けられているものである。
【００７９】
（構成‐詳細‐表カバー‐表カバー側固定部）
図６の表カバー側固定部１９は、表カバー１を部品板５に螺合により固定するものであり、表カバー用固定ねじＳ１１が螺合する被螺合手段であって、表示灯付発信機１００の内部に設けられているものであり、例えば、表カバー用固定ねじＳ１１を螺合していない状態において、表示板１６を開いた場合に開閉開口部１５を介して表示灯付発信機１００の外部に露出し、表示板１６を閉じた場合に開閉開口部１５を介して表示灯付発信機１００の外部に露出しないものであり、一例としては、カバー用固定ねじＳ１１が通される通し穴を備えるものである。
【００８０】
ここで、表カバー用固定ねじＳ１１は、表カバー１を部品板５に螺合により固定する螺合手段であって、表示灯付発信機１００の内部に設けられているものであり、例えば、表カバー１の表カバー側固定部１９及び部品板５の後述する部品板側表カバー用螺合部５２に対して連続的に螺合するものである。また、表カバー用固定ねじＳ１１は、例えば、表示板１６を開いた場合に開閉開口部１５を介して表示灯付発信機１００の外部に露出し、表示板１６を閉じた場合に開閉開口部１５を介して表示灯付発信機１００の外部に露出しないものである。
【００８１】
（構成‐詳細‐部品板）
部品板５は、例えば、図５の部品板側表カバー用係合部５１、部品板側表カバー用螺合部５２、第１部品板側銘板部５３、及び第２部品板側銘板部５４を備える。
【００８２】
（構成‐詳細‐部品板‐部品板側表カバー用係合部）
図５の部品板側表カバー用係合部５１は、表カバー１を部品板５に係合して固定する係合手段であり、例えば、表カバー１の表カバー側係合部１８と係合するものであり、また、表カバー１及び部品板５の相互間の回転を係止するものであり、また、部品板５の外側の縁における上側（＋Ｙ方向）及び下側（−Ｙ方向）に合計２個設けられているものである。
【００８３】
（構成‐詳細‐部品板‐部品板側表カバー用螺合部）
図５の部品板側表カバー用螺合部５２は、表カバー１を部品板５に螺合により固定するものであり、表カバー用固定ねじＳ１１が螺合する被螺合手段であり、例えば、表カバー用固定ねじＳ１１が螺合するねじ穴を備えるものである。
【００８４】
（構成‐詳細‐部品板‐第１部品板側銘板部）
図５の第１部品板側銘板部５３は、少なくとも表示灯付発信機１００の検査用情報のうちの第１検査用情報を表示する検査用情報表示手段であって、例えば、第１検査用情報と共に、系統情報、アドレス情報、及び操作ガイド情報も表示するものである。また、第１部品板側銘板部５３は、例えば、表示灯付発信機１００の内部に設けられているものであり、表カバー１の表示板１６を開いた場合に開閉開口部１５を介して表示灯付発信機１００の外部に露出し、表カバー１の表示板１６を閉じた場合に開閉開口部１５を介して表示灯付発信機１００の外部に露出しないものであり、また、ラベリング用のシールを含むものである。
【００８５】
ここで、「検査用情報」とは、表示灯付発信機１００を検査する場合に検査を行う作業者によって確認される情報であり、具体的な内容は任意であるが、例えば、第１検査用情報及び第２検査用情報を含む概念である。「第１検査用情報」とは、検査用情報に含まれる情報のうちの一部の情報であり、例えば、表示灯付発信機１００の型番、消防の認定番号、発光部３の定格、製造年月日、及び製造番号等を含む情報である。「第２検査用情報」とは、検査用情報に含まれる情報のうちの他の一部の情報であり、例えば、表示灯付発信機１００が消防検定に合格したことを示すラベル情報である。
【００８６】
「系統情報」とは、不図示の防災受信機との間の電気接続に関する情報であり、例えば、表示灯付発信機１００が設けられている監視領域の区画に関する情報である。また、「アドレス情報」とは、不図示の防災受信機との間の電気接続に関する情報であり、例えば、防災受信器との間の通信に用いられるアドレスであって、表示灯付発信機１００に設定されているアドレスの情報である。なお、「防災受信機」とは、監視領域の火災を監視して報知する外部機器であり、例えば、少なくとも表示灯付発信機１００に対して電気的に接続されている装置である。また、「操作ガイド情報」とは、表示灯付発信機１００の操作を案内する情報であり、例えば、押下された状態の保護板４２を元の位置に戻すための押さえばね４３の操作手順を案内する情報である。
【００８７】
そして、第１部品板側銘板部５３への各情報の表示手法は任意であるが、例えば、各情報の重要度等を考慮して、厚み方向（Ｚ方向）において開閉開口部１５と対向する位置に、操作ガイド情報、及び検査用テキスト情報の型番、消防の認定番号、発光部３の定格を表示し、厚み方向（Ｚ方向）において開閉開口部１５と対向する位置に、検査用テキスト情報の製造年月日及び製造番号、系統情報及びアドレス情報を表示している。
【００８８】
（構成‐詳細‐部品板‐第２部品板側銘板部）
第２部品板側銘板部５４は、少なくとも表示灯付発信機１００の検査用情報のうちの第２検査用情報を表示する検査用情報表示手段であって、例えば、第２検査用情報のみを表示するものである。また、第２部品板側銘板部５４は、例えば、設けられている位置及び形状以外は第１部品板側銘板部５３と同様にして構成されるものである。
【００８９】
（組み立て及び設置方法）
次に、表示灯付発信機１００の組み立て及び設置方法について説明する。
【００９０】
まず、部品板５に対して、図５のライトガイド２、表示灯基板４１、保護板４２、押さえばね４３、スイッチ４４、図４の発信機基板６１、及び基板カバー６２を、任意の固定手段（例えば、ねじでの螺合、係合構造での係合、あるいは、嵌合構造での嵌合等）を用いて、取り付ける。
【００９１】
次に、図４の板金９１の開口部に部品板５の一部を挿入した上で、部品板用固定ねじＳ１２を用いて、板金９１に対して当該部品板５を螺合して取り付ける。
【００９２】
次に、部品板５に対して表カバー１を係合する。具体的には、例えば、表カバー１の表カバー側係合部１８と部品板５の部品板側表カバー用係合部５１とを相互に係合させることにより、部品板５に対して表カバー１を係合する。この場合、表カバー側係合部１８及び部品板側表カバー用係合部５１にて表カバー１と部品板５との相互間の回転が係止されて、部品板５に対して表カバー１が仮留めされることになる。
【００９３】
次に、部品板５に対して表カバー１を固定する。具体的には、例えば、表カバー１の表示板１６を開いた状態で、開閉開口部１５を介して、表カバー用固定ねじＳ１１を、表カバー１の表カバー側固定部１９の通し穴に螺合して通し、部品板５の部品板側表カバー用螺合部５２のねじ穴と螺合して固定する。この場合、表カバー１の外周側が係合され且つ中心側が螺合されることになるので、部品板５に対して表カバー１が確実に固定されることになる。特に、１本のみの表カバー用固定ねじＳ１１にて固定することができるので、複数個所のねじ留めを行うことが不要となり、部品板５に対する表カバー１を容易に行うことができる。これにて、表示灯付発信機１００の組み立て及び設置が終了する。
【００９４】
（発光）
次に、表示灯付発信機１００による発光について説明する。ここでは、例えば、発光部３がライトガイド２に対して発光した場合の光の光路について説明する。
【００９５】
まず、発光部３に発光された光は、ライトガイド２に入射して、ライトガイド２全体に導光される。この後、ライトガイド２が導光した光は、表カバー１の透過領域１３を介して、表示灯付発信機１００の表側における表示灯付発信機１００の外部に出力されることになる。この場合、特に、前述のように図３の透過領域１３が表カバー１の正面部１１に加えて側面部１２にも設けられているので、正面部１１に加えて側面部１２からも発光させることができるので、ユーザは、表示灯付発信機１００の一部が赤色にて発光していることを、表示灯付発信機１００の表側のあらゆる位置から視認して確認することが可能となる。
【００９６】
（通報動作）
次に、表示灯付発信機１００が火災発生を通報する動作である通報動作について説明する。ここでは、例えば、ユーザが露出開口部１７を介して保護板４２を押下した場合の通報動作について説明するが、この通報動作は従来と同様であるので、概要のみについて説明する。
【００９７】
ユーザが露出開口部１７を介して保護板４２を押下した場合、保護板４２と共にスイッチ４４が押下されることになり、発信機基板６１の電気回路は、不図示の通信線を介して、防災受信機に対して火災を通報する信号である火災通報信号を送信して通報する。このようにして、通報動作が行われる。
【００９８】
（透過領域の形状による効果）
前述のように図２の透過領域１３が、横方向（Ｘ方向）において円弧状の２つの左側透過領域１３１及び右側透過領域１３２を備えているので、表示灯付発信機１００の横方向（Ｘ方向）からの視認性が要求される所定の規格（例えば、消防法に関連する規格等）を確実に満たした上で、複数個所の発光により、１か所のみの発光に比べて表示灯付発信機１００を目立たせることができる。
【００９９】
また、図２の表カバー１における発光部３と対向する領域が、上側非透過領域１４２及び下側非透過領域１４３となっているので、発光部３と対向する領域を遮光することにより、発光部３の光量が強くなり発光状態がまだらになりやすい領域を遮光することができるので、表カバー１の透過領域１３全体を一様に発光させることができ、発光している透過領域１３を含む表示灯付発信機１００の全体の意匠性を向上させることができる。特に、表示灯付発信機１００の内部における上側非透過領域１４２及び下側非透過領域１４３と対向する領域を、発光部３を設ける領域として用いることができるので、発光部３を設ける領域を２か所に集中することができ、表示灯付発信機１００の内部のスペースを有効利用することにより、表示灯付発信機１００のコンパクト化を図ることが可能となる。
【０１００】
（実施の形態１の効果）
このように本実施の形態によれば、表カバー１の透過領域１３と非透過領域１４とが相互に一体的に構成されていることにより、例えば、透過領域１３と非透過領域１４との間に隙間が設けられていないので、雨や塵埃等の汚損物が表示灯付発信機１００に入り込むのを防止することができる。また、例えば、表カバー１全体について一体的で統一感のある印象を与えることができるので、表示灯付発信機１００の意匠性を向上させることができる。
【０１０１】
また、透過領域１３が、透過層Ｌ１２が設けられている領域のうち、非透過層Ｌ１１と透過層Ｌ１２とが相互に重畳されていない領域であり、非透過領域１４が、非透過層Ｌ１１と透過層Ｌ１２とが相互に重畳されている領域を含む領域であることにより、例えば、透過層Ｌ１２及び非透過層Ｌ１１を用いて、透過領域１３及び非透過領域１４の機能を確実に確保することができるので、表示灯付発信機１００において光にて透過領域１３の形状を際立たせることができ、表示灯付発信機１００の位置を確実に表示することができる。また、例えば、透過領域１３及び非透過領域１４の両方の領域に透過層Ｌ１２を設けることができるので、当該透過層Ｌ１２にて表示灯付発信機１００をコーティングすることができ、表示灯付発信機１００の高級感を演出することができる。
【０１０２】
また、表カバー１を部品板５に係合する表カバー側係合部１８及び部品板側表カバー用係合部５１を備えることにより、例えば、表カバー１及び部品板５を相互に仮止めすることができるので、組み合立てが容易な表示灯付発信機１００を提供することができる。
【０１０３】
また、表カバー１を部品板５に螺合により固定する表カバー用固定ねじＳ１１が、表示板１６を開いた場合に開閉開口部１５を介して表示灯付発信機１００の外部に露出し、表示板１６を閉じた場合に開閉開口部１５を介して表示灯付発信機１００の外部に露出しないことにより、例えば、表示板１６を開いて表カバー用固定ねじＳ１１を操作したり、表示板１６を閉じて表カバー用固定ねじＳ１１を隠したりすることができるので、表示灯付発信機１００の意匠性を維持したまま組み立てを一層容易にすることができる。また、例えば、前述の表カバー側係合部１８及び部品板側表カバー用係合部５１に加えて表カバー用固定ねじＳ１１を設けた場合、表カバー側係合部１８及び部品板側表カバー用係合部５１にて表カバー１と部品板５との相互間の回転を係止した上で、表カバー用固定ねじＳ１１にて表カバー１と部品板５とを相互に固定することができるので、表示灯付発信機１００の組み立てを容易に行うことが可能となる。
【０１０４】
（実施の形態２）
次に、実施の形態２について説明する。この実施の形態においては、表示灯付発信機を取付対象の正面側から取り付ける場合について説明する。
【０１０５】
（構成）
まず、本実施の形態に係る表示灯付発信機の構成について説明する。図９は、本実施の形態に係る表示灯付発信機の斜視図であり、図１０は、表示灯付発信機の正面図であり、図１１は、表示灯付発信機の側面図であり、図１２は、表示灯付発信機の背面図であり、図１３は、図１０のＡ１―Ａ１矢視断面図であり、図１４は、正面側から見た表示灯付発信機の一部の分解斜視図であり、図１５は、裏側から見た表示灯付発信機の一部の分解斜視図である。なお、図１０、図１１及び図１３では、板金１０９１に取り付けられた状態を示している。また、図１１の側面図においては、実際には、消火栓箱の内部は見えない状態になっているが、ここでは、説明の便宜上当該内部の構成も実線で示している（なお、実施の形態３の側面図も同様とする）。また、以下の説明では、図１０〜図１３に示すＸ―Ｙ―Ｚ方向が互いに直交する方向であり、具体的には、Ｙ方向が鉛直方向であって、Ｘ方向及びＺ方向が鉛直方向に対して直交する水平方向であるものとして、例えば、Ｙ方向を上下方向と称して、＋Ｙ方向を上側と称し−Ｙ方向を下側と称し、Ｘ方向を左右方向と称して、＋Ｘ方向を右側と称し−Ｘ方向を左側と称し、Ｚ方向を厚み方向と称して、＋Ｚ方向を正面側と称し−Ｚ方向を裏側又は背面側と称して説明する。また、ＸＹ平面に沿っている方向（つまり、＋Ｘ方向、−Ｘ方向、＋Ｙ方向、−Ｙ方向を含む方向）を側面側と称し、この側面側と正面側とを含む方向を表側と称して、これらの「Ｘ―Ｙ―Ｚ方向」に関する用語については、図示の表示灯付発信機１１００において、各構成品の相対的な位置関係（又は、方向）等を説明するための便宜的な表現であることとして、以下説明する。以下では、表示灯付発信機１１００の全体の構成を説明した後に、特に特徴的な構成の詳細について説明する（なお、実施の形態３の各図も同様とする）。
【０１０６】
これら各図に示す表示灯付発信機１１００は、監視領域における異常を通報する通報手段であり、具体的には、監視領域における火災発生を通報する装置であり、図１３に示すように、消火栓箱の板金１０９１に表側から取り付けられるものであり、例えば、図１４の表カバー１００１、ライトガイド１００２、発光部１００３、表示灯基板１０４１、保護板１０４２、押さえばね１０４３、スイッチ１０４４、部品板１００５、図１３の発信機基板１０６１、基板カバー１０６２、及び取付アダプタ１０６３を備える。
【０１０７】
（構成‐表カバー）
表カバー１００１は、表側から少なくとも発光部１００３を覆うカバー手段であり、例えば、後述する図１４の透過領域１０１３及び非透過領域１０１４が相互に一体的に構成されているものであり、また、全体として円盤形状の外形となっているものである。なお、表カバー１００１の詳細については、後述する。
【０１０８】
（構成‐ライトガイド）
ライトガイド１００２は、発光部１００３が発光した光を導光する導光手段であり、具体的には、表カバー１００１に沿って透過領域１０１３の全体にわたって設けられているものである。このライトガイド１００２の具体的な種類や構成は任意であるが、例えば、厚み方向（Ｚ方向）における表カバー１００１と表示灯基板１０４１との間に設けられているものであり、また、スイッチ１０４４を取り囲むように環状に形成されているものであり、また、導光性を有する任意の材料（例えば、透明の樹脂材料等）を用いて構成されている円環形状のものである。
【０１０９】
（構成‐発光部）
発光部１００３は、光を発光する発光手段であり、具体的には、ライトガイド１００２に向かって発光するものである。この発光部１００３の具体的な種類や構成は任意であるが、例えば、表示灯付発信機１１００における上側（＋Ｙ方向）寄り位置の及び下側（−Ｙ方向）寄りの位置に設けられているものであり、また、表示灯基板１０４１に実装されている発光ダイオードである。
【０１１０】
（構成‐表示灯基板）
表示灯基板１０４１は、発光部１００３が実装される回路基板であり、具合的には、ライトガイド１００２を基準にして表カバー１００１の反対側に設けられているものである。この表示灯基板１０４１の具体的な種類や構成は任意であるが、例えば、スイッチ１０４４を避けつつ発光部１００３の位置を結ぶように構成されており、また、ライトガイド１００２の左側（−Ｘ方向）の一部のみと対向する円弧状に構成されているものである。
【０１１１】
（構成‐保護板）
保護板１０４２は、表示灯付発信機１１００を操作するための操作手段であり、具体的には、スイッチ１０４４を保護するためのものであり、また、異常発生時にユーザによって押下されるものである。この保護板１０４２の具体的な種類や構成は任意であるが、例えば、自己の一部が表カバー１００１の露出開口部１０１７を介して露出するように設けられているものである。
【０１１２】
（構成‐押さえばね）
押さえばね１０４３は、表示灯付発信機１１００を操作するための操作手段であり、具体的には、押下された状態の保護板１０４２を元の位置に戻すためにユーザによって操作されるものである。この押さえばね１０４３の具体的な種類や構成は任意であるが、例えば、スイッチ１０４４の周囲に設けられるように折り曲げられたものである。
【０１１３】
（構成‐スイッチ）
スイッチ１０４４は、表示灯付発信機１１００を操作するための操作手段であり、具体的には、表カバー１００１の正面部１０１１に沿う方向における表示灯付発信機１１００の中心側に設けられているものであり、また、異常発生時にユーザによって保護板１０４２を介して押下されるものである。このスイッチ１０４４の具体的な種類や構成は任意であるが、例えば、押しボタンスイッチとして構成するができる。
【０１１４】
（構成‐部品板）
部品板１００５は、裏側（−Ｚ方向）から少なくとも発光部１００３を覆うカバー手段であり、例えば、全体としては円形の裏カバーであり、また、樹脂製のものである。なお、部品板１００５の詳細については、後述する。
【０１１５】
（構成‐発信機基板）
図１３の発信機基板１０６１は、表示灯付発信機１１００を動作させるための電気回路が実装されている発信機回路基板である。この発信機基板１０６１の具体的な種類や構成は任意であるが、例えば、全体としては矩形形状となっているものであって、任意の手法（例えば、ねじでの螺合等）を用いて部品板１００５の裏側に固定されるものである。
【０１１６】
（構成‐基板カバー）
基板カバー１０６２は、裏側（−Ｚ方向）から発信機基板１０６１を覆うカバー手段であり、例えば、全体としては矩形形状となっているものであり、また、部品板１００５に対して係合して取り付けられるものである。なお、基板カバー１０６２の詳細については、後述する。
【０１１７】
（構成‐取付アダプタ）
取付アダプタ１０６３は、板金１０９１と部品板１００５との間に設けられる取付手段であって、部品板１００５を板金１０９１に取り付ける取付手段であり、例えば、全体としては部品板１００５よりも大径の円盤形状となっている赤色のものである。なお、取付アダプタ１０６３の詳細については、後述する。
【０１１８】
（構成‐詳細）
次に、表カバー１００１、部品板１００５、基板カバー１０６２、及び取付アダプタ１０６３の詳細について説明する。
【０１１９】
（構成‐詳細‐表カバー）
図１６は、表示板を開いた状態の図１０の一部の拡大図である。図１０及び図１１の表カバー１００１は、正面部１０１１、側面部１０１２、透過領域１０１３、非透過領域１０１４、図１４の開閉開口部１０１５、表示板１０１６、及び露出開口部１０１７を備える。
【０１２０】
（構成‐表カバー‐正面部）
図１０及び図１１の正面部１０１１は、表示灯付発信機１１００の正面側（＋Ｚ方向）から発光部１００３を覆うものであり、また、表カバー１００１の外形の一部を構成するものであり、例えば、ＸＹ平面に沿っている円形のものであって、外側の縁が僅かに湾曲して側面部１０１２に続いているものであり、また、側面部１０１２と一体的に構成されているものである。
【０１２１】
（構成‐詳細‐表カバー‐側面部）
図１０及び図１１の側面部１０１２は、表示灯付発信機１１００の側面側から発光部１００３を覆うものであり、また、表カバー１００１の外形の他の一部を構成するものであり、例えば、正面部１０１１の外側の縁から一部湾曲して裏側（−Ｚ方向）に向かって伸びているものであって、正面部１０１１から続いているものであり、また、正面部１０１１と一体的に構成されているものである。
【０１２２】
（構成‐詳細‐表カバー‐透過領域）
図１０及び図１１の透過領域１０１３は、発光部１００３が発光した光を表示灯付発信機１１００の表側における表示灯付発信機１１００の外部に透過する領域であり、特に、ライトガイド１００２が導光した光を表示灯付発信機１１００の少なくとも正面側（＋Ｚ方向）における表示灯付発信機１１００の外部に透過する領域であり、例えば、正面側（＋Ｚ方向）に加えて側面側における表示灯付発信機１１００の外部に光を透過する領域である。また、透過領域１０１３は、例えば、正面部１０１１及び側面部１０１２に設けられている領域であり、一例としては、図１０の中心側非透過領域１１４１を取り囲んでいる正面部１０１１の外周側から図１１の側面部１０１２にわたって設けられている領域である。また、透過領域１０１３は、例えば、発光部１００３からの光を任意の色（例えば、赤色）で透過領域１０１３全体に拡散するように全体が赤色の半透明となっている領域であり、また、正面側（＋Ｚ方向）から見た場合に、中心側非透過領域１１４１を取り囲むように全体として弧状に設けられている２個の領域であり、一例としては、図１０の左側透過領域１１３１、及び右側透過領域１１３２を含む領域である。ここで、「弧状」とは、全体としては一部の不連続部分（例えば、透過領域１０１３が存在していない部分）を介して環状になっている形状であり、つまり、いわゆる環状とは異なる形状であり、例えば、多角形の外周の一部に対応する形状、あるいは、円形又は楕円形の外周の一部の形状に対応する円弧等を含む概念である。
【０１２３】
左側透過領域１１３１及び右側透過領域１１３２は、円弧状のものであり、また、正面側（＋Ｚ方向）から見た場合に、上側非透過領域１１４２及び下側非透過領域１１４３を隔てて正面部１０１１の外周側に設けられている領域であり、また、当該外周側から図１１の側面部１０１２の側面側非透過領域１１４４側にわたって設けられている領域である。
【０１２４】
（構成‐詳細‐表カバー‐非透過領域）
図１０及び図１１の非透過領域１０１４は、発光部１００３が発光した光を表示灯付発信機１１００の表側における表示灯付発信機１１００の外部に透過しない領域であり、例えば、正面部１０１１及び側面部１０１２に設けられている領域であり、また、外面が赤色となっている領域であり、一例としては、中心側非透過領域１１４１、上側非透過領域１１４２、下側非透過領域１１４３、及び側面側非透過領域１１４４を含む領域である。
【０１２５】
中心側非透過領域１１４１は、正面部１０１１に設けられている領域であり、具体的には、正面部１０１１に沿う方向（ＸＹ平面に沿う方向）における正面部１０１１の中心側に設けられている領域である。また、上側非透過領域１１４２は、中心側非透過領域１１４１から連続して設けられている領域であり、具体的には、中心側非透過領域１１４１の上側（＋Ｙ方向）において正面部１０１１から側面部１０１２にわたって設けられている領域である。また、下側非透過領域１１４３は、中心側非透過領域１１４１から連続して設けられている領域であり、具体的には、中心側非透過領域１１４１の下側（−Ｙ方向）において正面部１０１１から側面部１０１２にわたって設けられている領域である。また、側面側非透過領域１１４４は、上側非透過領域１１４２及び下側非透過領域１１４３から連続して設けられている領域であり、具体的には、図１１に示すように側面部１０１２の全周にわたって設けられている領域である。
【０１２６】
そして、これらの透過領域１０１３及び非透過領域１０１４を含む表カバー１００１の外形の成形手法は任意であるが、例えば、透光性及び非透光性の樹脂材料を用いていわゆる二色成形にて成形することができる。
【０１２７】
（構成‐詳細‐表カバー‐開閉開口部）
図１４の開閉開口部１０１５は、表示灯付発信機１１００の内部に通じる開口である連通開口であり、具体的には、当該開閉開口部１０１５を介して表示灯付発信機１１００が操作されるものであり、例えば、正面部１０１１に設けられているものであり、また、矩形のものである。
【０１２８】
（構成‐詳細‐表カバー‐表示板）
図１４の表示板１０１６は、開閉開口部１０１５を開閉する開閉板であり、例えば、正面部１０１１に設けられているものであり、また、矩形のものである。
【０１２９】
（構成‐詳細‐表カバー‐露出開口部）
図１４の露出開口部１０１７は、ユーザが保護板１０４２を押圧できるように保護板１０４２を露出させる露出開口であり、例えば、正面部１０１１に設けられているものであり、一例としては、円形のものである。
【０１３０】
（構成‐詳細‐基板カバー）
基板カバー１０６２は、例えば、図１５の基板カバー側銘板部１６２１を備える。
【０１３１】
（構成‐詳細‐基板カバー‐基板カバー側銘板部）
図１５の基板カバー側銘板部１６２１は、接続関連情報を表示する接続関連情報表示手段であり、具体的には、表示灯付発信機１１００の裏側（−Ｚ方向）において表示灯付発信機１１００の外部に露出するように設けられているものであり、例えば、基板カバー１０６２に貼付されるシールである。
【０１３２】
ここで、「接続関連情報」とは、表示灯付発信機１１００と不図示の防災受信機との間の電気接続に関する情報であり、例えば、端子情報、後述のアドレス情報、及び後述の系統情報等を含む概念である。なお、「端子情報」とは、表示灯付発信機１１００に設けられている端子であって、不図示の防災受信機と電気的に接続される端子を特定する情報である。
【０１３３】
（構成‐詳細‐部品板）
部品板１００５は、例えば、図１４の第１部品板側銘板部１０５１、及び第２部品板側銘板部１０５２を備える。
【０１３４】
（構成‐詳細‐部品板‐第１部品板側銘板部）
図１４の第１部品板側銘板部１０５１は、少なくとも表示灯付発信機１１００の検査用情報のうちの第１検査用情報を表示する検査用情報表示手段であって、例えば、第１検査用情報と共に、系統情報、アドレス情報、及び操作ガイド情報も表示するものである。また、第１部品板側銘板部１０５１は、例えば、表示灯付発信機１１００の内部に設けられているものであり、表カバー１００１の表示板１０１６を開いた場合に開閉開口部１０１５を介して表示灯付発信機１１００の外部に露出し、表カバー１００１の表示板１０１６を閉じた場合に開閉開口部１０１５を介して表示灯付発信機１１００の外部に露出しないものであり、また、ラベリング用のシールを含むものである。
【０１３５】
ここで、「検査用情報」とは、表示灯付発信機１１００を検査する場合に検査を行う作業者によって確認される情報であり、具体的な内容は任意であるが、例えば、第１検査用情報及び第２検査用情報を含む概念である。「第１検査用情報」とは、検査用情報に含まれる情報のうちの一部の情報であり、例えば、表示灯付発信機１１００の型番、消防の認定番号、発光部１００３の定格、製造年月日、及び製造番号等を含む情報である。「第２検査用情報」とは、検査用情報に含まれる情報のうちの他の一部の情報であり、例えば、表示灯付発信機１１００が消防検定に合格したことを示すラベル情報である。
【０１３６】
「系統情報」とは、不図示の防災受信機との間の電気接続に関する情報であり、例えば、表示灯付発信機１１００が設けられている監視領域の区画に関する情報である。また、「アドレス情報」とは、不図示の防災受信機との間の電気接続に関する情報であり、例えば、防災受信器との間の通信に用いられるアドレスであって、表示灯付発信機１１００に設定されているアドレスの情報である。なお、「防災受信機」とは、監視領域の火災を監視して報知する外部機器であり、例えば、少なくとも表示灯付発信機１１００に対して電気的に接続されている装置である。また、「操作ガイド情報」とは、表示灯付発信機１１００の操作を案内する情報であり、例えば、押下された状態の保護板１０４２を元の位置に戻すための押さえばね１０４３の操作手順を案内する情報である。
【０１３７】
そして、第１部品板側銘板部１０５１への各情報の表示手法は任意であるが、例えば、各情報の重要度等を考慮して、厚み方向（Ｚ方向）において開閉開口部１０１５と対向する位置に、操作ガイド情報、及び検査用テキスト情報の型番、消防の認定番号、発光部１００３の定格を表示し、厚み方向（Ｚ方向）において開閉開口部１０１５と対向する位置に、検査用テキスト情報の製造年月日及び製造番号、系統情報及びアドレス情報を表示している。
【０１３８】
（構成‐詳細‐部品板‐第２部品板側銘板部）
第２部品板側銘板部１０５２は、少なくとも表示灯付発信機１１００の検査用情報のうちの第２検査用情報を表示する検査用情報表示手段であって、例えば、第２検査用情報のみを表示するものである。また、第２部品板側銘板部１０５２は、例えば、設けられている位置及び形状以外は第１部品板側銘板部１０５１と同様にして構成されるものである。
【０１３９】
（構成‐詳細‐取付アダプタ）
取付アダプタ１０６３は、例えば、図１２のアダプタ側開口部１６３１、部品板用螺合穴１６３２、及び板金用螺合穴１６３３を備える。
【０１４０】
（構成‐詳細‐取付アダプタ‐アダプタ側開口部）
アダプタ側開口部１６３１は、部品板１００５の一部が挿通される開口であり、例えば、部品板１００５における裏側（−Ｚ方向）に突出している一部が挿通されるものであり、また、取付アダプタ１０６３の中心付近に設けられているものである。
【０１４１】
（構成‐詳細‐取付アダプタ‐螺合穴）
部品板用螺合穴１６３２は、取付アダプタ１０６３に対して部品板１００５を取り付けるための螺合穴であり、板金用螺合穴１６３３は、取付アダプタ１０６３を板金１０９１に対して取り付けるための螺合穴である。
【０１４２】
（組み立て及び設置方法）
次に、表示灯付発信機１１００の組み立て及び設置方法について説明する。
【０１４３】
まず、図１３の取付アダプタ１０６３を板金１０９１に取り付ける。具体的な手法は任意であるが、例えば、図１２のアダプタ側開口部１６３１を図１３の表側取付用板金側開口部１９１１に合わせた状態で、不図示の取付アダプタ用固定ねじを図１２の板金用螺合穴１６３３及び板金１０９１に対して連続的に螺合させることにより取り付ける。なお、表側取付用板金側開口部１９１１とは、板金１０９１の表側から表示灯付発信機１１００を取り付けるための開口であり、例えば、部品板１００５における裏側（−Ｚ方向）に突出している一部が挿通されるものである。
【０１４４】
次に、図１３の部品板１００５を取付アダプタ１０６３に取り付ける。具体的な手法は任意であるが、例えば、部品板用固定ねじＳ１０１１を部品板１００５及び図１２の部品板用螺合穴１６３２に対して連続的に螺合させることにより取り付ける。
【０１４５】
次に、部品板１００５に対して、図１４に示す表示灯付発信機１１００の残りの部品を、任意の固定手段（例えば、ねじでの螺合、係合構造での係合、あるいは、嵌合構造での嵌合等）を用いて、取り付ける。これにて、表示灯付発信機１１００の組み立て及び設置が終了する。
【０１４６】
（発光）
次に、表示灯付発信機１１００による発光について説明する。ここでは、例えば、発光部１００３がライトガイド１００２に対して発光した場合の光の光路について説明する。
【０１４７】
まず、発光部１００３に発光された光は、ライトガイド１００２に入射して、ライトガイド１００２全体に導光される。この後、ライトガイド１００２が導光した光は、表カバー１００１の透過領域１０１３を介して、表示灯付発信機１１００の表側における表示灯付発信機１１００の外部に出力されることになる。この場合、特に、前述のように図１１の透過領域１０１３が表カバー１００１の正面部１０１１に加えて側面部１０１２にも設けられているので、正面部１０１１に加えて側面部１０１２からも発光させることができるので、ユーザは、表示灯付発信機１１００の一部が赤色にて発光していることを、表示灯付発信機１１００の表側のあらゆる位置から視認して確認することが可能となる。
【０１４８】
（通報動作）
次に、表示灯付発信機１１００が火災発生を通報する動作である通報動作について説明する。ここでは、例えば、ユーザが露出開口部１０１７を介して保護板１０４２を押下した場合の通報動作について説明するが、この通報動作は従来と同様であるので、概要のみについて説明する。
【０１４９】
ユーザが露出開口部１０１７を介して保護板１０４２を押下した場合、保護板１０４２と共にスイッチ１０４４が押下されることになり、発信機基板１０６１の電気回路は、不図示の通信線を介して、防災受信機に対して火災を通報する信号である火災通報信号を送信して通報する。このようにして、通報動作が行われる。
【０１５０】
（透過領域の形状による効果）
前述のように図１０の透過領域１０１３が、横方向（Ｘ方向）において円弧状の２つの左側透過領域１１３１及び右側透過領域１１３２を備えているので、表示灯付発信機１１００の横方向（Ｘ方向）からの視認性が要求される所定の規格（例えば、消防法に関連する規格等）を確実に満たした上で、複数個所の発光により、１か所のみの発光に比べて表示灯付発信機１１００を目立たせることができる。
【０１５１】
また、図１０の表カバー１００１における発光部１００３と対向する領域が、上側非透過領域１１４２及び下側非透過領域１１４３となっているので、発光部１００３と対向する領域を遮光することにより、発光部１００３の光量が強くなり発光状態がまだらになりやすい領域を遮光することができるので、表カバー１００１の透過領域１０１３全体を一様に発光させることができ、発光している透過領域１０１３を含む表示灯付発信機１１００の全体の意匠性を向上させることができる。特に、表示灯付発信機１１００の内部における上側非透過領域１１４２及び下側非透過領域１１４３と対向する領域を、発光部１００３を設ける領域として用いることができるので、発光部１００３を設ける領域を２か所に集中することができ、表示灯付発信機１１００の内部のスペースを有効利用することにより、表示灯付発信機１１００のコンパクト化を図ることが可能となる。
【０１５２】
（実施の形態２の効果）
このように本実施の形態によれば、透過領域１０１３が正面部１０１１及び側面部１０１２に設けられていることにより、例えば、発光部１００３の光を正面部１０１１側及び側面部１０１２側の両方に発光することができるので、表示灯付発信機１１００の正面側及び側面側のユーザに対して当該光を視認させることができ、ユーザに対して表示灯付発信機１１００の位置を確実に認識させることできる。
【０１５３】
また、透過領域１０１３が中心側非透過領域１１４１を取り囲んでいる正面部１０１１の外周側から側面部１０１２にわたって設けられていることにより、例えば、正面部１０１１から側面部１０１２にわたって連続的に発光させることができるので、表示灯付発信機１１００の正面側のユーザ及び側面側のユーザに加えて正面側及び側面側の間である斜め側のユーザに対しても光を視認させることができ、ユーザに対して表示灯付発信機１１００の位置を一層確実に認識させることできる。
【０１５４】
また、板金１０９１と部品板１００５との間に設けられる取付アダプタ１０６３であって、部品板１００５を板金１０９１に取り付ける取付アダプタ１０６３とを備えることにより、例えば、板金１０９１に対して正面側から表示灯付発信機１１００を取り付けることができるので、板金１０９１の裏側での作業が不要となり表示灯付発信機１１００の施工性を向上させることができる。また、例えば、板金１０９１に対する表示灯付発信機１１００の突出量を増大させることができるので、表示灯付発信機１１００の視認性を向上させることができる。
【０１５５】
また、検査用情報を表示する第１部品板側銘板部１０５１及び第２部品板側銘板部１０５２が、表示板１０１６を開いた場合に表示灯付発信機１１００の外部に露出し、表示板１０１６を閉じた場合に表示灯付発信機１１００の外部に露出しないことにより、例えば、必要な場合にのみ第１部品板側銘板部１０５１及び第２部品板側銘板部１０５２を露出させることができるので、表示灯付発信機１１００の外観をシンプルに保った状態で検査用情報を視認させることができ、意匠性を維持した状態で検査用情報を表示することができる。特に、従来提案されていた後付け表示灯装置を従来の発信機に後付けする技術においては、発信機から後付け表示灯装置を取り外さないと視認できない位置に検査用情報が設けられていたので、検査用情報を確認するためには後付け表示灯装置を取り外す必要があり手間となっていたが、しかしながら、本願の場合は、表示灯付発信機１１００を板金１０９１から取り外したり分解したりせずに、検査用情報を容易に確認することができる。
【０１５６】
（実施の形態３）
次に、実施の形態３について説明する。この実施の形態においては、表示灯付発信機を取付対象の裏側から取り付ける場合について説明する。実施の形態３の構成は、特記する場合を除いて実施の形態２の構成と略同一であり、実施の形態２の構成と略同一の構成についてはこの実施の形態２で用いたのと同一の符号を必要に応じて付して、その説明を省略する。
【０１５７】
（構成）
まず、本実施の形態に係る表示灯付発信機の構成について説明する。図１７は、本実施の形態に係る板金に取り付けられた状態の表示灯付発信機の斜視図であり、図１８は、板金から取り外された状態表示灯付発信機の斜視図であり、図１９は、表示灯付発信機の正面図であり、図２０は、表示灯付発信機の側面図であり、図２１は、表示灯付発信機の背面図であり、図２２は、図１９のＢ１―Ｂ１矢視断面図である。なお、図１７、図１９〜図２２では、板金１０９２に取り付けられた状態を示しており、板金１０９２については、説明の便宜上、矩形として図示されている。
【０１５８】
これら各図に示す表示灯付発信機１１０１は、図２２に示すように、消火栓箱の板金１０９２に裏側（−Ｚ方向）から取り付けられるものであり、例えば、図１４の表カバー１００１、ライトガイド１００２、発光部１００３、表示灯基板１０４１、保護板１０４２、押さえばね１０４３、スイッチ１０４４、部品板１００５、図２２の発信機基板１０６１、基板カバー１０６２、取付部材１０７１、及びカバーパッキン１０７２を備える。
【０１５９】
ここで、板金１０９２とは、実施の形態２の板金１０９１と同様な取付対象であって、具体的には、監視領域に設けられている消火栓箱（全体構成は不図示）の板金であり、例えば、正面側領域と裏側領域とを区画するものであって、図１９及び図２２の裏側取付用板金側開口部１９２１を備えるものである。なお、「正面側領域」とは、監視領域に含まれている一部の領域であり、具体的には、板金１０９２によって区画されている領域であって、表示灯付発信機１１０１の正面側（＋Ｚ方向）（つまり、板金１０９２の正面側（＋Ｚ方向））の領域であり、例えば、消火栓箱の外部の領域である。また、「裏側領域」とは、監視領域に含まれている他の一部の領域であり、具体的には、板金１０９２によって区画されている領域であって、表示灯付発信機１１０１の裏側（−Ｚ方向）（つまり、板金１０９２の裏側（−Ｚ方向））の領域であり、例えば、消火栓箱の内部の領域である。
【０１６０】
また、裏側取付用板金側開口部１９２１は、板金１０９２に設けられている開口であり、具体的には、表示灯付発信機１１０１の少なくとも一部を正面側領域に対して露出させるための露出穴であり、例えば、表示灯付発信機１１０１の表カバー１００１よりも小径（つまり、表示灯付発信機１１０１は裏側取付用板金側開口部１９２１より大径である）の円形の穴である。
【０１６１】
（構成‐取付部材）
図２２の取付部材１０７１は、表示灯付発信機１１０１を裏側領域に設けるものであり、具体的には、少なくとも表カバー１００１の一部が裏側取付用板金側開口部１９２１を介して正面側領域に対して露出するように、板金１０９２との間で表示灯付発信機１１０１の少なくとも一部を挟む取付手段であって、表カバー１００１を板金１０９２に取り付けるものである。取付部材１０７１の具体的な種類や構成は任意であるが、例えば、表カバー１００１の正面部１０１１に沿う方向において表カバー１００１よりも大きな矩形形状のものであり、一例としては、図２１の取付部材側開口部１７１１を備える。
【０１６２】
（構成‐取付部材‐取付部材側開口部）
取付部材側開口部１７１１は、部品板１００５の一部が挿通される開口であり、例えば、部品板１００５における裏側（−Ｚ方向）に突出している一部が挿通されるものであり、また、取付部材１０７１の中心付近に設けられているものである。
【０１６３】
（構成‐カバーパッキン）
図２２のカバーパッキン１０７２は、自己の少なくとも一部が板金１０９２と表カバー１００１との間において裏側取付用板金側開口部１９２１の周囲に設けられる封止手段であり、具体的には、板金１０９２と表カバー１００１との間を封止するものである。図２３は、図２２の一部の拡大図である。カバーパッキン１０７２の具体的な種類や構成は任意であるが、例えば、全体としては円環形状であり表カバー１００１の側面部１０１２に沿って設けられており、且つ、自己の少なくとも一部が表カバー１００１の正面部１０１１の縁よりもやや内側に沿って設けられるものであり、また、少なくとも２種類の特性の材料を用いて一体的に構成されているものであり、一例としては、本体部１７２１、及びカバー部１７２２を備える。
【０１６４】
（構成‐カバーパッキン‐本体部）
本体部１７２１は、カバーパッキン１０７２の一部を構成する部分であり、具体的には、厚み方向（Ｚ方向）において伸びているものであり、例えば、光を通さずに反射する非透光反射性のものであり、また、比較的柔らかく弾性的に変形可能なものである。この本体部１７２１の成形手法は任意であるが、例えば、光を通さずに反射する非透光性の軟質の弾性材料（例えば、いわゆるエラストマー材料）を用いて、任意の成形手法（例えば、いわゆる二色成形）にて成形したものである。
【０１６５】
（構成‐カバーパッキン‐カバー部）
カバー部１７２２は、カバーパッキン１０７２の他の一部を構成する部分であり、具体的には、本体部１７２１の正面側に設けられているものであり、例えば、自己の少なくとも一部が裏側取付用板金側開口部１９２１の縁に沿って当該裏側取付用板金側開口部１９２１を介して正面側領域に僅かに突出しているものであり、また、表カバー１００１の透過領域１０１３と同様にして光を通す透光性のものであり、また、比較的固いものである。このカバー部１７２２の成形手法は任意であるが、例えば、光を通す透光性の硬質の材料（例えば、樹脂材料等）を用いて、任意の成形手法（例えば、いわゆる二色成形）にて成形したものである。
【０１６６】
（組み立て及び設置方法）
次に、表示灯付発信機１１０１の組み立て及び設置方法について説明する。
【０１６７】
まず、図２２の取付部材１０７１に対して部品板１００５を取り付ける。具体的な手法は任意であるが、例えば、部品板１００５の一部を取付部材側開口部１７１１に挿通し、部品板用固定ねじＳ１０２１を部品板１００５及び取付部材１０７１に対して連続的に螺合させることにより取り付ける。
【０１６８】
次に、部品板１００５に対して、図１４に示す表示灯付発信機１１０１の残りの部品（カバーパッキン１０７２以外）を、任意の固定手段（例えば、ねじでの螺合、係合構造での係合、あるいは、嵌合構造での嵌合等）を用いて、取り付ける。
【０１６９】
次に、取付部材１０７１を板金１０９２に取り付ける。具体的な手法は任意であるが、例えば、図２２に示すように、表カバー１００１の周囲にカバーパッキン１０７２を設けた上で、表示灯付発信機１１０１を裏側領域に設け、裏側取付用板金側開口部１９２１を介して表カバー１００１が露出するように位置決めを行い、取付金具Ａ１０１１を用いて取り付ける。ここで、取付金具Ａ１０１１は、取付部材１０７１を板金１０９２に取り付けるための取付部材用取付手段であり、取付部材１０７１及び板金１０９２の両方に任意の固定手段（例えば、ねじによる螺合、あるは、接着材による接着等）によって固定されるものであり、例えば、折り曲げられている固定金具である。これにて、表示灯付発信機１１０１の組み立て及び設置が終了する。
【０１７０】
（発光）
次に、表示灯付発信機１１０１による発光について説明する。ここでは、例えば、発光部１００３がライトガイド１００２に対して発光した場合の光の光路について説明する。
【０１７１】
発光部１００３が発光した光は、実施の形態２の場合と同様にして、ライトガイド１００２を介して、表カバー１００１の透過領域１０１３から、正面側領域に出力されることになる。この場合、一部の光は、透過領域１０１３から直接的に正面側領域に出力されることになり、また、他の一部の光は、カバーパッキン１０７２におけるカバー部１７２２にて透過されて出力されることになり、また、更なる他の一部の光は、カバーパッキン１０７２における本体部１７２１の内周にて反射されて出力されることになる。
【０１７２】
この場合、特に、カバーパッキン１０７２のカバー部１７２２の一部が正面側領域に突出しているので、ユーザは、表示灯付発信機１１０１の一部が赤色にて発光していることを、正面側領域のあらゆる位置から視認して確認することが可能となる。
【０１７３】
（実施の形態３の効果）
このように本実施の形態によれば、表示灯付発信機１１０１は、裏側領域に設けられており、且つ、裏側取付用板金側開口部１９２１よりも大径であり、また、表示灯付発信機１１０１は、少なくとも表カバー１００１の一部が裏側取付用板金側開口部１９２１を介して正面側領域に対して露出するように取り付けられていることにより、例えば、正面側領域において板金１０９１がフラットになるように表示灯付発信機１１０１を取り付けることができるので、表示灯付発信機１１０１が邪魔になることを防止することでる。また、例えば、表示灯付発信機１１０１が裏側取付用板金側開口部１９２１よりも大径であるので、表示灯付発信機１１０１にて裏側取付用板金側開口部１９２１を封止することができ、露出穴を介して裏側領域に雨や塵埃等の汚損物が入り込むことを防止することができる。
【０１７４】
また、カバーパッキン１０７２を備えることにより、例えば、裏側取付用板金側開口部１９２１を介して裏側領域に雨や塵埃等の汚損物が入り込むことを確実に防止することができる。
【０１７５】
また、接続関連情報を表示する図１５の基板カバー側銘板部１６２１であって、表示灯付発信機１１０１の裏側（−Ｚ方向）において露出するように設けられている基板カバー側銘板部１６２１を備えることにより、例えば、表示灯付発信機１１０１の正面側（＋Ｚ方向）の外観をシンプルに保った状態で接続関連情報を視認させることができ、意匠性を維持した状態で接続関連情報を表示することができる。特に、従来提案されていた後付け表示灯装置を従来の発信機に後付けする技術においては、発信機の裏側に接続関連情が表示されていたものの発信機が取付対象に埋め込まれていたので、接続関連情を確認するためには後付け表示灯装置及び発信機を取り外す必要があり手間となっていたが、しかしながら、本願の場合は、表示灯付発信機１１０１が、裏側領域に設けられており、少なくとも表カバー１００１の一部が裏側取付用板金側開口部１９２１を介して正面側領域に対して露出するように取り付けられている場合には、表示灯付発信機１１０１を取付対象から取り外したり分解したりせずに、裏側領域に回り込むことによって接続関連情報を容易に確認することができる。
【０１７６】
〔実施の形態に対する変形例〕
以上、本発明に係る各実施の形態について説明したが、本発明の具体的な構成及び手段は、請求の範囲に記載した各発明の技術的思想の範囲内において、任意に改変及び改良することができる。以下、このような変形例について説明する。
【０１７７】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【０１７８】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【０１７９】
（実施の形態１の表カバーについて（その１））
また、上記実施の形態１において、表カバー１の透過領域１３及び非透過領域１４の構成を任意に変更してもよい。例えば、透過領域１３を、正面部１１及び側面部１２のうちのいずれか一方のみに設けてもよい。また、透過領域１３について、環状とならない限りにおいて、任意の形状としてもよい。
【０１８０】
（実施の形態１の表カバーについて（その２））
また、上記実施の形態１において、表カバー１の非透過層Ｌ１１及び透過層Ｌ１２の構成を任意に変更してもよい。例えば、透過層Ｌ１２を裏側（−Ｚ方向）から非透過層Ｌ１１に重畳させてもよい。また、例えば、透過層Ｌ１２を非透過層Ｌ１１の一部のみに重畳させたり、透過層Ｌ１２を非透過層Ｌ１１に重畳させないようにしたりして、表カバー１の非透過領域１４を、非透過層Ｌ１１及び透過層Ｌ１２を相互に重畳させずに、非透過層Ｌ１１のみを設けて構成してもよい。この場合、非透過層Ｌ１１及び透過層Ｌ１２の面積の相互間の大小関係については、任意としてもよい。
【０１８１】
（実施の形態１のライトガイドについて）
また、上記実施の形態１において、ライトガイド２の全体の構成を任意に変更してもよい。例えば、ライトガイド２を任意の個数に分割して、２個以上のライトガイドとして構成してもよい。また、例えば、ライトガイド２を、円環形状以外の任意の形状（一例としては、三角形、矩形等）としてもよい。
【０１８２】
（実施の形態１の表示灯付発信機の取り付けについて）
また、上記実施の形態１の表示灯付発信機１００を、板金９１に対して任意に取り付けてもよい。具体的には、表示灯付発信機１００を、板金９１に対して正面側（＋Ｚ方向）から任意の取付アダプタを介して取り付けてもよく、あるいは、板金９１に対して裏側（−Ｚ方向）から任意の手段を用いて取り付けてもよい。
【０１８３】
（実施の形態２、３の表カバーについて）
また、上記実施の形態２、３において、表カバー１００１の透過領域１０１３及び非透過領域１０１４の構成を任意に変更してもよい。例えば、透過領域１０１３を、正面部１０１１及び側面部１０１２のうちのいずれか一方のみに設けてもよい。また、透過領域１０１３について、環状とならない限りにおいて、任意の形状としてもよい。
【０１８４】
（実施の形態２、３のライトガイドについて）
また、上記実施の形態２、３において、ライトガイド１００２の全体の構成を任意に変更してもよい。例えば、ライトガイド１００２を任意の個数に分割して、２個以上のライトガイドとして構成してもよい。また、例えば、ライトガイド１００２を、円環形状以外の任意の形状（一例としては、三角形、矩形等）としてもよい。
【０１８５】
（実施の形態２、３の表示灯付発信機の取り付けについて（その１））
また、上記実施の形態２の表示灯付発信機１１００について、取付アダプタ１０６３を省略して板金１０９１に直接取り付けてもよいし、また、上記実施の形態３の表示灯付発信機１１０１について、カバーパッキン１０７２を省略して板金１０９２に直接取り付けてもよい。この場合、具体的には、任意の固定手段（例えば、ねじでの螺合、係合構造での係合、あるいは、嵌合構造での嵌合等）を用いて、取り付けてもよい。
【０１８６】
（実施の形態２、３の表示灯付発信機の取り付けについて（その２））
また、上記実施の形態２の表示灯付発信機１１００について、板金１０９１に埋め込むことによって板金１０９１に対してフラットに取り付けてもよい。
【０１８７】
（実施の形態２及び３の効果）
また、例えば、実施の形態２及び３にて記載の表示灯付発信機１１００、１１０１（具体的には、図１４及び図１５に図示されている構成）は、表示灯付発信機１１００、１１０１が取り付けられる対象である板金１０９１、１０９２の正面側（＋Ｚ方向）及び裏側（−Ｚ方向）から取り付けることができる。すなわち、実施の形態２の表示灯付発信機１１００のように正面側（＋Ｚ方向）から取り付けた場合には、側面部１０１２を露出させて側面側にも光を出力することができ、また、実施の形態３の表示灯付発信機１１０１のように裏側（−Ｚ方向）から取り付けた場合には、側面部１０１２からの光を本体部１７２１の内周にて反射して、カバー部１７２２の正面側領域に突出している一部を介して側面側にも光を出力することができるので、正面側（＋Ｚ方向）及び裏側（−Ｚ方向）からの取り付けを可能にし、且つ、表示性を向上させることができる。
【０１８８】
（実施の形態２、３の表示灯付発信機という用語の解釈について）
また、「表示灯付発信機」という用語については、実施の形態２及び３において共通に用いられている構成を「表示灯付発信機」と解し、実施の形態２のみで用いられている構成を正面側取付用の任意選択的に用いられる構成であるものと解し、または、実施の形態３のみで用いられている構成を裏側取付用の任意選択的に用いられる構成であるものと解してもよい。このように、解釈する場合、実施の形態２及び３において共通に用いられている構成からなる「表示灯付発信機」については、表示灯付発信機が、正面側（＋Ｚ芳香）又は裏側（−Ｚ方向）から取付対象に対して取り付けられることにより、例えば、表示灯付発信機を取付対象に対して実施の形態２のように突出させるように正面側（＋Ｚ方向）から取り付けたり、あるいは、表示灯付発信機を取付対象に対してフラットになるように裏側（−Ｚ方向）から取り付けたりすることができるために、表示灯付発信機を取り付け環境に適応させることができ、表示灯付発信機の視認性を向上させたり表示灯付発信機が邪魔になることを防止したりすることできる。
【０１８９】
（付記）
付記１の表示灯付発信機は、監視領域における異常を通報する表示灯付発信機であって、発光手段と、表カバーと、を備える。
【０１９０】
付記２の表示灯付発信機は、付記１に記載の表示灯付発信機において、前記表カバーは、前記表示灯付発信機の表側から前記発光手段を覆い、前記表カバーは、前記発光手段が発光した光を前記表示灯付発信機の表側における前記表示灯付発信機の外部に透過する領域である透過領域と、前記発光手段が発光した光を前記表示灯付発信機の表側における前記表示灯付発信機の外部に透過しない領域である非透過領域とを備えており、前記表カバーの前記透過領域と前記非透過領域とが、相互に一体的に構成されている。
【０１９１】
付記３の表示灯付発信機は、付記２に記載の表示灯付発信機において、前記表カバーは、光を透過しない材料である非透過材料によって成形された非透過層と、光を透過する材料である透過材料によって成形された透過層であって、前記非透過層に対して自己の一部のみが重畳されている前記透過層と、を備えており、前記透過領域は、前記透過層が設けられている領域のうち、前記非透過層と前記透過層とが相互に重畳されていない領域であり、前記非透過領域は、前記非透過層と前記透過層とが相互に重畳されている領域を含む領域である。
【０１９２】
付記４の表示灯付発信機は、付記２又は３に記載の表示灯付発信機において、前記表示灯付発信機の裏側から前記発光手段を覆う裏カバーと、前記表カバーを前記裏カバーに係合する係合手段と、を備えている。
【０１９３】
付記５の表示灯付発信機は、付記２から４のいずれか一項に記載の表示灯付発信機において、前記表示灯付発信機の裏側から前記発光手段を覆う裏カバーと、前記表カバーを前記裏カバーに螺合により固定する螺合手段であって、前記表示灯付発信機の内部に設けられている前記螺合手段と、を備えており、前記表カバーは、前記表示灯付発信機の内部に通じる開口である連通開口と、前記連通開口を開閉する開閉板と、前記螺合手段が螺合する被螺合手段であって、前記表示灯付発信機の内部に設けられている前記被螺合手段と、を備えており、前記螺合手段は、前記連通開口を介して前記被螺合手段に螺合するものであり、前記螺合手段は、前記開閉板を開いた場合に前記連通開口を介して前記表示灯付発信機の外部に露出し、前記開閉板を閉じた場合に前記連通開口を介して前記表示灯付発信機の外部に露出しない。
【０１９４】
付記６の表示灯付発信機は、付記１に記載の表示灯付発信機において、前記表カバーは、前記表示灯付発信機の正面側から前記発光手段を覆う正面部と、前記表示灯付発信機の側面側から前記発光手段を覆う側面部と、を備えており、前記表カバーは、前記発光手段が発光した光を前記表示灯付発信機の正面側における前記表示灯付発信機の外部及び前記表示灯付発信機の側面側における前記表示灯付発信機の外部に透過する領域である透過領域と、前記発光手段が発光した光を前記表示灯付発信機の正面側における前記表示灯付発信機の外部及び前記表示灯付発信機の側面側における前記表示灯付発信機の外部に透過しない領域である非透過領域と、を備えており、前記透過領域は、前記正面部及び前記側面部に設けられている。
【０１９５】
付記７の表示灯付発信機は、付記６に記載の表示灯付発信機において、前記非透過領域の少なくとも一部の領域である中心側非透過領域は、前記正面部に沿う方向における前記正面部の中心側に設けられており、前記透過領域は、前記中心側非透過領域を取り囲んでいる前記正面部の外周側から前記側面部にわたって設けられている。
【０１９６】
付記８の表示灯付発信機は、付記６又は７に記載の表示灯付発信機において、前記表示灯付発信機は、正面側又は裏側から取付対象に対して取り付けられる。
【０１９７】
付記９の表示灯付発信機は、付記８に記載の表示灯付発信機において、前記表示灯付発信機は、前記取付対象の正面側から前記取付対象に取り付けられるものであり、前記表示灯付発信機は、前記表示灯付発信機の裏側から前記発光手段を覆う裏カバーと、前記取付対象と前記裏カバーとの間に設けられる取付手段であって、前記裏カバーを前記取付対象に取り付ける前記取付手段と、を備える。
【０１９８】
付記１０の表示灯付発信機は、付記８に記載の表示灯付発信機において、前記表示灯付発信機は、前記取付対象の正面側の領域である正面側領域と前記取付対象の裏側の領域である裏側領域とを区画する前記取付対象であって、前記表示灯付発信機の少なくとも一部を前記正面側領域に対して露出させるための露出穴を備える前記取付対象の裏側から前記取付対象に取り付けられるものであり、前記表示灯付発信機は、前記裏側領域に設けられており、且つ、前記露出穴よりも大径であり、前記表示灯付発信機は、少なくとも前記表カバーの一部が前記露出穴を介して前記正面側領域に対して露出するように、前記取付対象との間で前記表示灯付発信機の少なくとも一部を挟む取付手段であって、前記表カバーを前記取付対象に取り付ける前記取付手段、を備える。
【０１９９】
付記１１の表示灯付発信機は、付記１０に記載の表示灯付発信機において、自己の少なくとも一部が前記取付対象と前記表カバーとの間において前記露出穴の周囲に設けられる封止手段であって、前記取付対象と前記表カバーとの間を封止する前記封止手段、を備える。
【０２００】
付記１２の表示灯付発信機は、付記６から１１のいずれか一項に記載の表示灯付発信機において、前記表示灯付発信機の検査用情報を表示する検査用情報表示手段であって、前記表示灯付発信機の内部に設けられている前記検査用情報表示手段、を備え、前記表カバーは、前記表示灯付発信機の内部に通じる開口である連通開口であって、前記連通開口を介して前記表示灯付発信機が操作される前記連通開口と、前記連通開口を開閉する開閉板と、を備えており、前記検査用情報表示手段は、前記開閉板を開いた場合に前記連通開口を介して前記表示灯付発信機の外部に露出し、前記開閉板を閉じた場合に前記連通開口を介して前記表示灯付発信機の外部に露出しない。
【０２０１】
付記１３の表示灯付発信機は、付記６から１２のいずれか一項に記載の表示灯付発信機において、前記表示灯付発信機と外部機器との間の電気接続に関する情報である接続関連情報を表示する接続関連情報表示手段であって、前記表示灯付発信機の裏側において前記表示灯付発信機の外部に露出するように設けられている前記接続関連情報表示手段、を備えている。
【０２０２】
（付記の効果）
付記１に記載の表示灯付発信機によれば、発光手段と表カバーとを備えることにより、例えば、表示灯付発信機の意匠性を向上させることができ、あるいは、ユーザに対して表示灯付発信機の位置を確実に認識させることできる。
【０２０３】
付記２に記載の表示灯付発信機によれば、表カバーの透過領域と非透過領域とが相互に一体的に構成されていることにより、例えば、透過領域と非透過領域との間に隙間が設けられていないので、雨や塵埃等の汚損物が表示灯付発信機に入り込むのを防止することができる。また、例えば、表カバー全体について一体的で統一感のある印象を与えることができるので、表示灯付発信機の意匠性を向上させることができる。
【０２０４】
付記３に記載の表示灯付発信機によれば、透過領域が、透過層が設けられている領域のうち、非透過層と透過層とが相互に重畳されていない領域であり、非透過領域が、非透過層と透過層とが相互に重畳されている領域を含む領域であることにより、例えば、透過層及び非透過層を用いて、透過領域及び非透過領域の機能を確実に確保することができるので、表示灯付発信機において光にて透過領域の形状を際立たせることができ、表示灯付発信機の位置を確実に表示することができる。また、例えば、透過領域及び非透過領域の両方の領域に透過層を設けることができるので、当該透過層にて表示灯付発信機をコーティングすることができ、表示灯付発信機の高級感を演出することができる。
【０２０５】
付記４に記載の表示灯付発信機によれば、表カバーを裏カバーに係合する係合手段を備えることにより、例えば、表カバー及び裏カバーを相互に仮止めすることができるので、組み合立てが容易な表示灯付発信機を提供することができる。
【０２０６】
付記５に記載の表示灯付発信機によれば、表カバーを裏カバーに螺合により固定する螺合手段が、開閉板を開いた場合に連通開口を介して表示灯付発信機の外部に露出し、開閉板を閉じた場合に連通開口を介して表示灯付発信機の外部に露出しないことにより、例えば、開閉板を開いて螺合手段を操作したり、開閉板を閉じて螺合手段を隠したりすることができるので、表示灯付発信機の意匠性を維持したまま組み立てを一層容易にすることができる。また、例えば、前述の係合手段に加えて螺合手段を設けた場合、係合手段にて表カバーと裏カバーとの相互間の回転を係止した上で、螺合手段にて表カバーと裏カバーとを相互に固定することができるので、表示灯付発信機の組み立てを容易に行うことが可能となる。
【０２０７】
付記６に記載の表示灯付発信機によれば、透過領域が正面部及び側面部に設けられていることにより、例えば、発光手段の光を正面部側及び側面部側の両方に発光することができるので、表示灯付発信機の正面側及び側面側のユーザに対して当該光を視認させることができ、ユーザに対して表示灯付発信機の位置を確実に認識させることできる。
【０２０８】
付記７に記載の表示灯付発信機によれば、透過領域が中心側非透過領域を取り囲んでいる正面部の外周側から側面部にわたって設けられていることにより、例えば、正面部から側面部にわたって連続的に発光させることができるので、表示灯付発信機の正面側のユーザ及び側面側のユーザに加えて正面側及び側面側の間である斜め側のユーザに対しても光を視認させることができ、ユーザに対して表示灯付発信機の位置を一層確実に認識させることできる。
【０２０９】
付記８に記載の表示灯付発信機によれば、表示灯付発信機が、正面側又は裏側から取付対象に対して取り付けられることにより、例えば、表示灯付発信機を取付対象に対して突出させるように正面側から取り付けたり、あるいは、表示灯付発信機を取付対象に対してフラットになるように裏側から取り付けたりすることができるために、表示灯付発信機を取り付け環境に適応させることができ、表示灯付発信機の視認性を向上させたり表示灯付発信機が邪魔になることを防止したりすることできる。
【０２１０】
付記９に記載の表示灯付発信機によれば、取付対象と裏カバーとの間に設けられる取付手段であって、裏カバーを取付対象に取り付ける取付手段とを備えることにより、例えば、取付対象に対して正面側から表示灯付発信機を取り付けることができるので、取付対象の裏側での作業が不要となり表示灯付発信機の施工性を向上させることができる。また、例えば、取付対象に対する表示灯付発信機の突出量を増大させることができるので、表示灯付発信機の視認性を向上させることができる。
【０２１１】
付記１０に記載の表示灯付発信機によれば、表示灯付発信機は、裏側領域に設けられており、且つ、露出穴よりも大径であり、また、表示灯付発信機は、少なくとも表カバーの一部が露出穴を介して正面側領域に対して露出するように取り付けられていることにより、例えば、正面側領域において取付対象がフラットになるように表示灯付発信機を取り付けることができるので、表示灯付発信機が邪魔になることを防止することでる。また、例えば、表示灯付発信機が露出穴よりも大径であるので、表示灯付発信機にて露出穴を封止することができ、露出穴を介して裏側領域に雨や塵埃等の汚損物が入り込むことを防止することができる。
【０２１２】
付記１１に記載の表示灯付発信機によれば、封止手段を備えることにより、例えば、露出穴を介して裏側領域に雨や塵埃等の汚損物が入り込むことを確実に防止することができる。
【０２１３】
付記１２に記載の表示灯付発信機によれば、検査用情報を表示する検査用情報表示手段が、開閉板を開いた場合に表示灯付発信機の外部に露出し、開閉板を閉じた場合に表示灯付発信機の外部に露出しないことにより、例えば、必要な場合にのみ検査用情報表示手段を露出させることができるので、表示灯付発信機の外観をシンプルに保った状態で検査用情報を視認させることができ、意匠性を維持した状態で検査用情報を表示することができる。特に、従来提案されていた後付け表示灯装置を従来の発信機に後付けする技術においては、発信機から後付け表示灯装置を取り外さないと視認できない位置に検査用情報が設けられていたので、検査用情報を確認するためには後付け表示灯装置を取り外す必要があり手間となっていたが、しかしながら、本願の場合は、表示灯付発信機を取付対象から取り外したり分解したりせずに、検査用情報を容易に確認することができる。
【０２１４】
付記１３に記載の表示灯付発信機によれば、接続関連情報を表示する接続関連情報表示手段であって、表示灯付発信機の裏側において露出するように設けられている接続関連情報表示手段を備えることにより、例えば、表示灯付発信機の正面側の外観をシンプルに保った状態で接続関連情報を視認させることができ、意匠性を維持した状態で接続関連情報を表示することができる。特に、従来提案されていた後付け表示灯装置を従来の発信機に後付けする技術においては、発信機の裏側に接続関連情が表示されていたものの発信機が取付対象に埋め込まれていたので、接続関連情を確認するためには後付け表示灯装置及び発信機を取り外す必要があり手間となっていたが、しかしながら、本願の場合は、表示灯付発信機が、裏側領域に設けられており、少なくとも表カバーの一部が露出穴を介して正面側領域に対して露出するように取り付けられている場合には、表示灯付発信機を取付対象から取り外したり分解したりせずに、裏側領域に回り込むことによって接続関連情報を容易に確認することができる。
【符号の説明】
【０２１５】
１  表カバー
２  ライトガイド
３  発光部
５  部品板
１１  正面部
１２  側面部
１３  透過領域
１４  非透過領域
１５  開閉開口部
１６  表示板
１７  露出開口部
１８  表カバー側係合部
１９  表カバー側固定部
４１  表示灯基板
４２  保護板
４３  押さえばね
４４  スイッチ
５１  部品板側表カバー用係合部
５２  部品板側表カバー用螺合部
５３  第１部品板側銘板部
５４  第２部品板側銘板部
６１  発信機基板
６２  基板カバー
９１  板金
１００  表示灯付発信機
１３１  左側透過領域
１３２  右側透過領域
１４１  中心側非透過領域
１４２  上側非透過領域
１４３  下側非透過領域
１４４  側面側非透過領域
１００１  表カバー
１００２  ライトガイド
１００３  発光部
１００５  部品板
１０１１  正面部
１０１２  側面部
１０１３  透過領域
１０１４  非透過領域
１０１５  開閉開口部
１０１６  表示板
１０１７  露出開口部
１０４１  表示灯基板
１０４２  保護板
１０４３  押さえばね
１０４４  スイッチ
１０５１  第１部品板側銘板部
１０５２  第２部品板側銘板部
１０６１  発信機基板
１０６２  基板カバー
１０６３  取付アダプタ
１０７１  取付部材
１０７２  カバーパッキン
１０９１  板金
１０９２  板金
１１００  表示灯付発信機
１１０１  表示灯付発信機
１１３１  左側透過領域
１１３２  右側透過領域
１１４１  中心側非透過領域
１１４２  上側非透過領域
１１４３  下側非透過領域
１１４４  側面側非透過領域
１６２１  基板カバー側銘板部
１６３１  アダプタ側開口部
１６３２  部品板用螺合穴
１６３３  板金用螺合穴
１７１１  取付部材側開口部
１７２１  本体部
１７２２  カバー部
１９１１  表側取付用板金側開口部
１９２１  裏側取付用板金側開口部
Ａ１０１１  取付金具
Ｌ１１  非透過層
Ｌ１２  透過層
Ｓ１１  表カバー用固定ねじ
Ｓ１２  部品板用固定ねじ
Ｓ１０１１  部品板用固定ねじ
Ｓ１０２１  部品板用固定ねじ
【図１】
2018198642.tif 000003
【図２】
2018198642.tif 000004
【図３】
2018198642.tif 000005
【図４】
2018198642.tif 000006
【図５】
2018198642.tif 000007
【図６】
2018198642.tif 000008
【図７】
2018198642.tif 000009
【図８】
2018198642.tif 000010
【図９】
2018198642.tif 000011
【図１０】
2018198642.tif 000012
【図１１】
2018198642.tif 000013
【図１２】
2018198642.tif 000014
【図１３】
2018198642.tif 000015
【図１４】
2018198642.tif 000016
【図１５】
2018198642.tif 000017
【図１６】
2018198642.tif 000018
【図１７】
2018198642.tif 000019
【図１８】
2018198642.tif 000020
【図１９】
2018198642.tif 000021
【図２０】
2018198642.tif 000022
【図２１】
2018198642.tif 000023
【図２２】
2018198642.tif 000024
【図２３】
2018198642.tif 000025
【国際調査報告】
2018198642.tif 000026
2018198642.tif 000027
2018198642.tif 000028
2018198642.tif 000029